(57)【要約】【課題】ユーザの状況や嗜好に応じて、簡単に、楽曲の雰囲気を変える【解決手段】  制御部１９３は、音楽を再生する旨の制御信号を生成し、生成した制御信号を再生部１９６に供給する。音楽データ生成部２１３は、音楽素材データ記録部１９４から、音楽素材データを取得し、音楽構成データ記録部１９５から、音楽構成データを取得する。音楽データ生成部２１３は、音楽素材データおよび音楽構成データを基に、音楽構成データにおいて設定された再生条件で、音楽を再生するための音楽データを生成する。出力部１９７は、音楽データを基に、音楽を再生する。本発明は、インターネットなどの通信網を介して、音楽データを配信する、音楽配信システムに適用できる。【選択図】図６
2006085045.tif 000002
【特許請求の範囲】
【請求項１】
通信網を介して接続されている第１の情報処理装置および第２の情報処理装置からなる情報処理システムにおいて、
前記第１の情報処理装置は、
音楽を再生するための音楽データを構成する音楽素材データを記憶する第１の記憶手段と、
１または複数の前記音楽素材データから構成される前記音楽データによって再生される音楽の再生条件を、前記音楽素材データごとに記述する音楽構成データを記憶する第２の記憶手段と、
前記音楽素材データまたは前記音楽構成データを、前記第２の情報処理装置あてに送信する送信手段と
を備え、
前記第２の情報処理装置は、
前記第１の情報処理装置から送信されてきた前記音楽素材データまたは前記音楽構成データを受信する受信手段と、
前記音楽素材データおよび前記音楽構成データを基に、前記音楽構成データに記述されている再生条件で音楽を再生するための音楽データを生成する音楽データ生成手段と
を備える
ことを特徴とする情報処理システム。
【請求項２】
通信網を介して接続されている、第１の情報処理装置乃至第４の情報処理装置からなる情報処理システムにおいて、
前記第１の情報処理装置は、
音楽を再生するための音楽データを構成する音楽素材データを生成する音楽素材データ生成手段と、
生成した前記音楽素材データを前記第３の情報処理装置あてに送信する第１の送信手段と
を備え、
前記第２の情報処理装置は、
１または複数の音楽素材データから構成される音楽データによって再生される音楽の再生条件を、前記音楽素材データごとに記述する音楽構成データを生成する音楽構成データ生成手段と、
生成した前記音楽構成データを前記第３の情報処理装置あてに送信する第２の送信手段と
を備え、
前記第３の情報処理装置は、
前記第１の情報処理装置から送信されてきた前記音楽素材データまたは前記第２の情報処理装置から送信されてきた前記音楽構成データを受信する第１の受信手段と、
受信した前記音楽素材データを記憶する第１の記憶手段と、
受信した前記音楽構成データを記憶する第２の記憶手段と、
前記音楽素材データまたは前記音楽構成データを、前記第４の情報処理装置あてに送信する第３の送信手段と
を備え、
前記第４の情報処理装置は、
前記第３の情報処理装置から送信されてきた前記音楽素材データまたは前記音楽構成データを受信する第２の受信手段と、
前記音楽素材データおよび前記音楽構成データを基に、前記音楽構成データに記述されている再生条件で音楽を再生するための音楽データを生成する音楽データ生成手段と
を備える
ことを特徴とする情報処理システム。
【請求項３】
前記第３の送信手段は、前記音楽構成データまたは１つの音楽データを構成する全ての音楽素材データを前記第４の情報処理装置あてに送信する
ことを特徴とする請求項２に記載の情報処理システム。
【請求項４】
前記音楽構成データ生成手段は、音量、音質、音像定位を示す情報、曲間情報、トラックダウン情報、およびエフェクト情報を含む再生条件を前記音楽素材データごとに記述する前記音楽構成データを生成する
ことを特徴とする請求項２に記載の情報処理システム。
【請求項５】
前記第１の送信手段は、送信する前記音楽素材データのアクセス権、コピー権、および編集権を示す情報を含む第１の権利管理情報を、前記第３の情報処理装置あてにさらに送信し、
前記第２の送信手段は、送信する前記音楽構成データのアクセス権、コピー権、および編集権を示す情報を含む第２の権利管理情報を、前記第３の情報処理装置あてにさらに送信し、
前記第１の受信手段は、前記第１の情報処理装置から送信されてきた前記第１の権利管理情報または前記第２の情報処理装置から送信されてきた前記第２の権利管理情報をさらに受信し、
前記第３の送信手段は、前記第１の権利管理情報および前記第２の権利管理情報を基に、前記音楽素材データまたは前記音楽構成データを、前記第４の情報処理装置あてに送信する
ことを特徴とする請求項２に記載の情報処理システム。
【請求項６】
音楽を再生するための音楽データを構成する音楽素材データを記憶する第１の記憶手段と、
１または複数の前記音楽素材データから構成される前記音楽データによって再生される音楽の再生条件を、前記音楽素材データごとに記述する音楽構成データを記憶する第２の記憶手段と、
前記音楽素材データおよび前記音楽構成データを基に、前記音楽構成データに記述されている再生条件で音楽を再生するための音楽データを生成する音楽データ生成手段と
を備えることを特徴とする情報処理装置。
【請求項７】
前記第２の記憶手段は、音量、音質、音像定位を示す情報、曲間情報、トラックダウン情報、およびエフェクト情報を含む再生条件が、前記音楽素材データごとに記述された前記音楽構成データを記憶する
ことを特徴とする請求項６に記載の情報処理装置。
【請求項８】
前記第２の記憶手段は、１つの前記音楽素材データによって再生される音楽の再生条件を記述するための前記音楽構成データを記憶する
ことを特徴とする請求項６に記載の情報処理装置。
【請求項９】
音楽を再生するための音楽データを構成する音楽素材データを記憶する第１の記憶ステップと、
１または複数の前記音楽素材データから構成される前記音楽データによって再生される音楽の再生条件を、前記音楽素材データごとに記述する音楽構成データを記憶する第２の記憶ステップと、
前記音楽素材データおよび前記音楽構成データを基に、前記音楽構成データに記述されている再生条件で音楽を再生するための音楽データを生成する音楽データ生成ステップと
を含むことを特徴とする情報処理方法。
【請求項１０】
音楽を再生するための音楽データを構成する音楽素材データを記憶する第１の記憶ステップと、
１または複数の前記音楽素材データから構成される前記音楽データによって再生される音楽の再生条件を、前記音楽素材データごとに記述する音楽構成データを記憶する第２の記憶ステップと、
前記音楽素材データおよび前記音楽構成データを基に、前記音楽構成データに記述されている再生条件で音楽を再生するための音楽データを生成する音楽データ生成ステップと
を含むことを特徴とする情報処理をコンピュータに実行させるプログラムが記録されている記録媒体。
【請求項１１】
音楽を再生するための音楽データを構成する音楽素材データを記憶する第１の記憶ステップと、
１または複数の前記音楽素材データから構成される前記音楽データによって再生される音楽の再生条件を、前記音楽素材データごとに記述する音楽構成データを記憶する第２の記憶ステップと、
前記音楽素材データおよび前記音楽構成データを基に、前記音楽構成データに記述されている再生条件で音楽を再生するための音楽データを生成する音楽データ生成ステップと
をコンピュータに実行させることを特徴とするプログラム。
【発明の詳細な説明】
【技術分野】
【０００１】
本発明は情報処理装置および方法、記録媒体、プログラム、並びに情報処理システムに関し、特に、ユーザの状況や嗜好に応じた、幅広い楽曲を提供できるようにした情報処理装置および方法、記録媒体、プログラム、並びに情報処理システムに関する。
【背景技術】
【０００２】
近年、情報通信技術の発達に伴い、通信網を介して、様々なデータがやり取りされている。特に、音楽を再生する音楽データに対するニーズは高く、ユーザがインターネットを利用して購入した音楽データをＰＣ（Personal Computer）または携帯型音楽再生装置に格納して、音楽を再生することにより、音楽を聴くことができる音楽配信サービスが注目を集めている。
【０００３】
このような、音楽配信サービスにおいては、音楽データを配信するサーバ（以下、音楽配信サーバと称する）に音楽データを蓄積（記録）しておくことで、通信網に接続された任意の端末装置から音楽データをダウンロードすることが可能である。また、多種多様なジャンルの楽曲の音楽データを音楽配信サーバに蓄積しておくことで、ユーザの多様なニーズに対応することができる。
【０００４】
従来、音楽データの配信システムにおいて、音楽データを検索する場合、ユーザは、楽曲のタイトル別、アーティストの名前別、ジャンル別、年代別などに分類されたカテゴリから所望の音楽データを検索していた。
【０００５】
しかしながら、音楽配信サーバに蓄積された音楽データの数が増加するにつれて、ユーザは、膨大な数の音楽データから所望の音楽データを検索しなければならなくなる。
【０００６】
このような問題を解決する方法として、音楽データの配信システムにおいて、楽曲のタイトルやアーティストの名前などの情報が分からない場合、ユーザが、楽曲の歌詞、楽曲の発売年度、または楽曲が使用された番組を用いて、所望の音楽データを検索する方法が提案されている（例えば、特許文献１参照）。
【０００７】
また、音楽データの配信システムにおいて、音楽を鑑賞したときに受ける“安らぐ感じ”、“爽快な感じ”、または“明るい感じ”などのイメージや印象の感性情報を用いて、音楽データを検索するものもある（例えば、特許文献２参照）。
【０００８】
【特許文献１】特開２００４−１３８９７２号公報
【０００９】
【特許文献２】特開２００１−３０６５８０号公報
【発明の開示】
【発明が解決しようとする課題】
【００１０】
しかしながら、上述した技術においては、必ずしもユーザの現在の状況に応じた音楽データが検索できるとは限らない。
【００１１】
また、上述した特許文献２に開示されている技術においては、楽曲に対する知識がない場合においても、ユーザの感情を表す単語を用いて、音楽データを検索することができるが、音楽配信サーバに蓄積されている音楽データを基に、そのまま音楽を再生するため、ユーザの現在の状況や嗜好に合わせて、楽曲をアレンジすることができなかった。
【００１２】
すなわち、ＣＤ（Compact Disc）や音楽配信サービスを含む、従来の音楽流通においては、ユーザは、楽曲提供者が提供した音楽データを基に、音楽をそのままの形で（アレンジしないで）再生して、音楽を聴くことしかできなかった。換言すれば、ユーザは、提供された音楽データからボーカルのトラックを再生するデータを取り除き、BGM（Back Ground Music）としてアレンジして楽しんだり、楽器のキーボード、ドラム、ベース、ギター、ボーカルなどの音像定位を変更して、ユーザ独自の音場を作り出したり、各トラックを再生するデータ（以下、トラックデータとも称する）をミックス（合成）することによって楽曲そのものの雰囲気を変更することはできなかった。
【００１３】
従来、このような複数のトラックのバランスを取り、１つの楽曲としてまとめる作業は、楽曲の雰囲気を決定する重要な作業であるため、一部の専門家が行っていた。
【００１４】
したがって、ユーザは、朝起きるとき、リラックスしているとき、夜寝るとき、１人でいるとき、複数の人と一緒に聴くとき、音楽そのものを楽しむとき、他の作業をしながら聴くときなど、ユーザの状況や嗜好に応じて、楽曲にアレンジを施し、楽曲の雰囲気を変えて音楽を楽しむことができないという課題があった。
【００１５】
本発明は、このような状況に鑑みてなされたものであり、ユーザの状況や嗜好に応じて、簡単に、楽曲の雰囲気を変えることができるようにするものである。
【課題を解決するための手段】
【００１６】
本発明の情報処理システムは、第１の情報処理装置は、音楽を再生するための音楽データを構成する音楽素材データを記憶する第１の記憶手段と、１または複数の音楽素材データから構成される音楽データによって再生される音楽の再生条件を、音楽素材データごとに記述する音楽構成データを記憶する第２の記憶手段と、音楽素材データまたは音楽構成データを、第２の情報処理装置あてに送信する送信手段とを備え、第２の情報処理装置は、第１の情報処理装置から送信されてきた音楽素材データまたは音楽構成データを受信する受信手段と、音楽素材データおよび音楽構成データを基に、音楽構成データに記述されている再生条件で音楽を再生するための音楽データを生成する音楽データ生成手段とを備えることを特徴とする。
【００１７】
本発明の情報処理システムにおいては、第１の情報処理装置によって、音楽を再生するための音楽データを構成する音楽素材データが記憶され、１または複数の音楽素材データから構成される音楽データによって再生される音楽の再生条件を、音楽素材データごとに記述する音楽構成データが記憶され、音楽素材データまたは音楽構成データが、第２の情報処理装置あてに送信される。そして、第２の情報処理装置によって、第１の情報処理装置から送信されてきた音楽素材データまたは音楽構成データが受信され、音楽素材データおよび音楽構成データを基に、音楽構成データに記述されている再生条件で音楽を再生するための音楽データが生成される。
【００１８】
本発明の情報処理システムは、第１の情報処理装置は、音楽を再生するための音楽データを構成する音楽素材データを生成する音楽素材データ生成手段と、生成した音楽素材データを第３の情報処理装置あてに送信する第１の送信手段とを備え、第２の情報処理装置は、１または複数の音楽素材データから構成される音楽データによって再生される音楽の再生条件を、音楽素材データごとに記述する音楽構成データを生成する音楽構成データ生成手段と、生成した音楽構成データを第３の情報処理装置あてに送信する第２の送信手段とを備え、第３の情報処理装置は、第１の情報処理装置から送信されてきた音楽素材データまたは第２の情報処理装置から送信されてきた音楽構成データを受信する第１の受信手段と、受信した音楽素材データを記憶する第１の記憶手段と、受信した音楽構成データを記憶する第２の記憶手段と、音楽素材データまたは音楽構成データを、第４の情報処理装置あてに送信する第３の送信手段とを備え、第４の情報処理装置は、第３の情報処理装置から送信されてきた音楽素材データまたは音楽構成データを受信する第２の受信手段と、音楽素材データおよび音楽構成データを基に、音楽構成データに記述されている再生条件で音楽を再生するための音楽データを生成する音楽データ生成手段とを備えることを特徴とする。
【００１９】
第３の送信手段は、音楽構成データまたは１つの音楽データを構成する全ての音楽素材データを第４の情報処理装置あてに送信するようにすることができる。
【００２０】
音楽構成データ生成手段は、音量、音質、音像定位を示す情報、曲間情報、トラックダウン情報、およびエフェクト情報を含む再生条件を音楽素材データごとに記述する音楽構成データを生成するようにすることができる。
【００２１】
第１の送信手段は、送信する音楽素材データのアクセス権、コピー権、および編集権を示す情報を含む第１の権利管理情報を、第３の情報処理装置あてにさらに送信し、第２の送信手段は、送信する音楽構成データのアクセス権、コピー権、および編集権を示す情報を含む第２の権利管理情報を、第３の情報処理装置あてにさらに送信し、第１の受信手段は、第１の情報処理装置から送信されてきた第１の権利管理情報または第２の情報処理装置から送信されてきた第２の権利管理情報をさらに受信し、第３の送信手段は、第１の権利管理情報および第２の権利管理情報を基に、音楽素材データまたは音楽構成データを、第４の情報処理装置あてに送信するようにすることができる。
【００２２】
本発明の情報処理システムにおいては、第１の情報処理装置によって、音楽を再生するための音楽データを構成する音楽素材データが生成され、生成された音楽素材データが第３の情報処理装置あてに送信され、第２の情報処理装置によって、１または複数の音楽素材データから構成される音楽データによって再生される音楽の再生条件を、音楽素材データごとに記述する音楽構成データが生成され、生成された音楽構成データが第３の情報処理装置あてに送信される。そして、第３の情報処理装置によって、第１の情報処理装置から送信されてきた音楽素材データまたは第２の情報処理装置から送信されてきた音楽構成データが受信され、受信された音楽素材データが記憶され、受信された音楽構成データが記憶され、音楽素材データまたは音楽構成データが、第４の情報処理装置あてに送信される。さらに、第４の情報処理装置によって、第３の情報処理装置から送信されてきた音楽素材データまたは音楽構成データが受信され、音楽素材データおよび音楽構成データを基に、音楽構成データに記述されている再生条件で音楽を再生するための音楽データが生成される。
【００２３】
本発明の情報処理装置は、音楽を再生するための音楽データを構成する音楽素材データを記憶する第１の記憶手段と、１または複数の音楽素材データから構成される音楽データによって再生される音楽の再生条件を、音楽素材データごとに記述する音楽構成データを記憶する第２の記憶手段と、音楽素材データおよび音楽構成データを基に、音楽構成データに記述されている再生条件で音楽を再生するための音楽データを生成する音楽データ生成手段とを備えることを特徴とする。
【００２４】
第２の記憶手段は、音量、音質、音像定位を示す情報、曲間情報、トラックダウン情報、およびエフェクト情報を含む再生条件が、音楽素材データごとに記述された音楽構成データを記憶するようにすることができる。
【００２５】
第２の記憶手段は、１つの音楽素材データによって再生される音楽の再生条件を記述するための音楽構成データを記憶するようにすることができる。
【００２６】
本発明の情報処理方法は、音楽を再生するための音楽データを構成する音楽素材データを記憶する第１の記憶ステップと、１または複数の音楽素材データから構成される音楽データによって再生される音楽の再生条件を、音楽素材データごとに記述する音楽構成データを記憶する第２の記憶ステップと、音楽素材データおよび音楽構成データを基に、音楽構成データに記述されている再生条件で音楽を再生するための音楽データを生成する音楽データ生成ステップとを含むことを特徴とする。
【００２７】
本発明の記録媒体のプログラムは、音楽を再生するための音楽データを構成する音楽素材データを記憶する第１の記憶ステップと、１または複数の音楽素材データから構成される音楽データによって再生される音楽の再生条件を、音楽素材データごとに記述する音楽構成データを記憶する第２の記憶ステップと、音楽素材データおよび音楽構成データを基に、音楽構成データに記述されている再生条件で音楽を再生するための音楽データを生成する音楽データ生成ステップとを含むことを特徴とする。
【００２８】
本発明のプログラムは、音楽を再生するための音楽データを構成する音楽素材データを記憶する第１の記憶ステップと、１または複数の音楽素材データから構成される音楽データによって再生される音楽の再生条件を、音楽素材データごとに記述する音楽構成データを記憶する第２の記憶ステップと、音楽素材データおよび音楽構成データを基に、音楽構成データに記述されている再生条件で音楽を再生するための音楽データを生成する音楽データ生成ステップとをコンピュータに実行させることを特徴とする。
【００２９】
本発明の情報処理装置および方法、記録媒体、並びにプログラムにおいては、音楽を再生するための音楽データを構成する音楽素材データが記憶され、１または複数の音楽素材データから構成される音楽データによって再生される音楽の再生条件を、音楽素材データごとに記述する音楽構成データが記憶され、音楽素材データおよび音楽構成データを基に、音楽構成データに記述されている再生条件で音楽を再生するための音楽データが生成される。
【００３０】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００３１】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。
【発明の効果】
【００３２】
本発明によれば、音楽を再生することができる。また、本発明によれば、同一の楽曲であっても、音楽素材データおよび音楽構成データの組み合わせを変えることで、簡単に、異なる雰囲気の楽曲を再生することができる。
【発明を実施するための最良の形態】
【００３３】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３４】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００３５】
請求項１に記載の情報処理システムは、第１の情報処理装置（例えば、図１のサーバ１３）は、音楽を再生するための音楽データを構成する音楽素材データを記憶する第１の記憶手段（例えば、図５の音楽素材データ記録部１５２）と、１または複数の音楽素材データから構成される音楽データによって再生される音楽の再生条件を、音楽素材データごとに記述する音楽構成データを記憶する第２の記憶手段（例えば、図５の音楽構成データ記録部１５４）と、音楽素材データまたは音楽構成データを、第２の情報処理装置（例えば、図１の再生装置１４）あてに送信する送信手段（例えば、図５の送信部１７１）とを備え、第２の情報処理装置は、第１の情報処理装置から送信されてきた音楽素材データまたは音楽構成データを受信する受信手段（例えば、図６の受信部２１２）と、音楽素材データおよび音楽構成データを基に、音楽構成データに記述されている再生条件で音楽を再生するための音楽データを生成する音楽データ生成手段（例えば、図６の音楽データ生成部２１３）とを備えることを特徴とする。
【００３６】
請求項２に記載の情報処理システムは、第１の情報処理装置（例えば、図１の音楽素材データ生成装置１１）は、音楽を再生するための音楽データを構成する音楽素材データを生成する音楽素材データ生成手段（例えば、図３の音楽素材データ生成部８１）と、生成した音楽素材データを第３の情報処理装置（例えば、図１のサーバ１３）あてに送信する第１の送信手段（例えば、図３の通信部３９）とを備え、第２の情報処理装置（例えば、図１の音楽構成データ生成装置１２）は、１または複数の音楽素材データから構成される音楽データによって再生される音楽の再生条件を、音楽素材データごとに記述する音楽構成データを生成する音楽構成データ生成手段（例えば、図４の音楽構成データ生成部１２２）と、生成した音楽構成データを第３の情報処理装置あてに送信する第２の送信手段（例えば、図４の通信部１２８）とを備え、第３の情報処理装置は、第１の情報処理装置から送信されてきた音楽素材データまたは第２の情報処理装置から送信されてきた音楽構成データを受信する第１の受信手段（例えば、図５の受信部１７２）と、受信した音楽素材データを記憶する第１の記憶手段（例えば、図５の音楽素材データ記録部１５２）と、受信した音楽構成データを記憶する第２の記憶手段（例えば、図５の音楽構成データ記録部１５４）と、音楽素材データまたは音楽構成データを、第４の情報処理装置（例えば、図１の再生装置１４）あてに送信する第３の送信手段（例えば、図５の送信部１７１）とを備え、第４の情報処理装置は、第３の情報処理装置から送信されてきた音楽素材データまたは音楽構成データを受信する第２の受信手段（例えば、図６の受信部２１２）と、音楽素材データおよび音楽構成データを基に、音楽構成データに記述されている再生条件で音楽を再生するための音楽データを生成する音楽データ生成手段（例えば、図６の音楽データ生成部２１３）とを備えることを特徴とする。
【００３７】
請求項３に記載の情報処理システムは、第３の送信手段（例えば、図５の送信部１７１）は、音楽構成データまたは１つの音楽データを構成する全ての音楽素材データを第４の情報処理装置（例えば、図１の再生装置１４）あてに送信することを特徴とする。
【００３８】
請求項４に記載の情報処理システムは、音楽構成データ生成手段（例えば、図４の音楽構成データ生成部１２２）は、音量、音質、音像定位を示す情報、曲間情報、トラックダウン情報、およびエフェクト情報を含む再生条件を音楽素材データごとに記述する音楽構成データを生成することを特徴とする。
【００３９】
請求項５に記載の情報処理システムは、第１の送信手段（例えば、図３の通信部３９）は、送信する音楽素材データのアクセス権、コピー権、および編集権を示す情報を含む第１の権利管理情報を、第３の情報処理装置（例えば、図１のサーバ１３）あてにさらに送信し、第２の送信手段（例えば、図４の通信部１２８）は、送信する音楽構成データのアクセス権、コピー権、および編集権を示す情報を含む第２の権利管理情報を、第３の情報処理装置あてにさらに送信し、第１の受信手段（例えば、図５の受信部１７２）は、第１の情報処理装置（例えば、図１の音楽素材データ生成装置１１）から送信されてきた第１の権利管理情報または第２の情報処理装置（例えば、図１の音楽構成データ生成装置１２）から送信されてきた第２の権利管理情報をさらに受信し、第３の送信手段（例えば、図５の送信部１７１）は、第１の権利管理情報および第２の権利管理情報を基に、音楽素材データまたは音楽構成データを、第４の情報処理装置（例えば、図１の再生装置１４）あてに送信することを特徴とする。
【００４０】
請求項６に記載の情報処理装置は、音楽を再生するための音楽データを構成する音楽素材データを記憶する第１の記憶手段（例えば、図６の音楽素材データ記録部１９４）と、１または複数の音楽素材データから構成される音楽データによって再生される音楽の再生条件を、音楽素材データごとに記述する音楽構成データを記憶する第２の記憶手段（例えば、図６の音楽構成データ記録部１９５）と、音楽素材データおよび音楽構成データを基に、音楽構成データに記述されている再生条件で音楽を再生するための音楽データを生成する音楽データ生成手段（例えば、図６の音楽データ生成部２１３）とを備えることを特徴とする。
【００４１】
請求項７に記載の情報処理装置は、第２の記憶手段（例えば、図６の音楽構成データ記録部１９５）は、音量、音質、音像定位を示す情報、曲間情報、トラックダウン情報、およびエフェクト情報を含む再生条件が、音楽素材データごとに記述された音楽構成データを記憶することを特徴とする。
【００４２】
請求項８に記載の情報処理装置は、第２の記憶手段（例えば、図６の音楽構成データ記録部１９５）は、１つの音楽素材データによって再生される音楽の再生条件を記述するための音楽構成データを記憶することを特徴とする。
【００４３】
請求項９に記載の情報処理方法は、音楽を再生するための音楽データを構成する音楽素材データを記憶する第１の記憶ステップ（例えば、図２１のステップＳ２６３の処理）と、１または複数の音楽素材データから構成される音楽データによって再生される音楽の再生条件を、音楽素材データごとに記述する音楽構成データを記憶する第２の記憶ステップ（例えば、図２１のステップＳ２６６の処理）と、音楽素材データおよび音楽構成データを基に、音楽構成データに記述されている再生条件で音楽を再生するための音楽データを生成する音楽データ生成ステップ（例えば、図２２のステップＳ２８４の処理）とを含むことを特徴とする。
【００４４】
なお、請求項１０に記載の記録媒体および請求項１１に記載のプログラムも、上述した請求項９に記載の情報処理方法と基本的に同様の処理であるため、繰り返しになるのでその説明は省略する。
【００４５】
本発明は、インターネットなどの通信網を介して、音楽データを配信する、音楽配信システムなどに適用できる。
【００４６】
図１は、本発明を適用した音楽データ配信システムの一実施の形態を示す図である。この音楽データ配信システムにおいては、音楽素材データ生成装置１１、音楽構成データ生成装置１２、サーバ１３、および再生装置１４が、それぞれインターネットなどの通信網１５に接続されている。
【００４７】
音楽素材データ生成装置１１は、例えば、ＰＣまたは専用端末装置などにより構成され、音楽を再生する音楽データを構成する、音楽素材データを生成し、生成した音楽素材データを、通信網１５を介してサーバ１３あてに送信する。
【００４８】
なお、音楽素材データの詳細は後述するが、音楽素材データとは、例えば、ボーカル、ドラム、ベース、ギター、キーボードなどの楽器ごとに１つの楽曲の演奏が録音された、１つのトラックを再生するためのデータ（トラックデータ）である。したがって、例えば、ボーカルのトラックデータである音楽素材データを基に音楽を再生することによって、１つの楽曲のボーカルのトラックを再生することができる。また、同一の楽器の演奏を、複数の音楽素材データから構成するようにしてもよい。
【００４９】
音楽構成データ生成装置１２は、例えば、ＰＣまたは専用端末装置などにより構成され、音楽を再生する再生条件を記述（設定）する、音楽構成データを生成し、生成した音楽構成データを、通信網１５を介してサーバ１３あてに送信する。
【００５０】
なお、音楽構成データの詳細は後述するが、音楽構成データとは、１または複数の音楽素材データから構成される音楽データによって再生される音楽の再生条件を、音楽素材データごとに設定するためのデータである。
【００５１】
通信網１５は、有線または無線の、通信回線、ネットワーク、またはインターネットなどからなる伝送路であり、音楽素材データ生成装置１１から送信されてきた音楽素材データまたは音楽構成データ生成装置１２から送信されてきた音楽構成データを、サーバ１３まで伝送する。
【００５２】
サーバ１３は、例えば、ＰＣまたは専用サーバなどにより構成され、音楽素材データ生成装置１１から送信されてきた音楽素材データ、または音楽構成データ生成装置１２から送信されてきた音楽構成データを受信する。サーバ１３は、受信した音楽素材データまたは音楽構成データを記録（蓄積）する。
【００５３】
サーバ１３は、再生装置１４から音楽素材データまたは音楽構成データの配信（送信）が要求された場合、記録している音楽素材データまたは音楽構成データを、通信網１５を介して再生装置１４あてに送信する。
【００５４】
通信網１５は、サーバ１３から送信されてきた音楽素材データまたは音楽構成データを、再生装置１４まで伝送する。
【００５５】
再生装置１４は、例えば、ＰＣまたは携帯型再生装置などにより構成され、サーバ１３から送信されてきた、音楽素材データまたは音楽構成データを受信する。再生装置１４は、受信した音楽素材データまたは音楽構成データを記録（蓄積）する。
【００５６】
再生装置１４は、記録している音楽素材データおよび音楽構成データを基に、音楽を再生する。すなわち、再生装置１４は、１または複数の音楽素材データから構成される、ユーザによって指定された音楽データを基に、ユーザによって指定された音楽構成データにおいて記述（設定）された再生条件で、音楽を再生する。
【００５７】
図２は、音楽素材データ生成装置１１の構成の例を示すブロック図である。CPU（Central Processing Unit）３１は、ROM（Read Only Memory）３２、または記録部３８に記録されているプログラムに従って各種の処理を実行する。RAM（Random Access Memory）３３には、CPU３１が実行するプログラムやデータなどが適宜記憶される。これらのCPU３１、ROM３２、およびRAM３３は、バス３４により相互に接続されている。
【００５８】
CPU３１にはまた、バス３４を介して入出力インタフェース３５が接続されている。入出力インタフェース３５には、キーボード、マウス、スイッチなどよりなる入力部３６、ディスプレイ、スピーカ、ランプなどよりなる出力部３７が接続されている。CPU３１は、入力部３６から入力される指令に対応して各種の処理を実行する。
【００５９】
入出力インタフェース３５に接続されている記録部３８は、例えばハードディスクなどで構成され、CPU３１が実行するプログラムや各種のデータを記録する。通信部３９は、インターネット、その他のネットワークなどの通信網１５を介して、サーバ１３などの外部の装置と通信する。
【００６０】
また、通信部３９は、通信網１５を介してプログラムを取得し、記録部３８に記録させるようにしてもよい。
【００６１】
入出力インタフェース３５に接続されているドライブ４０は、磁気ディスク６１、光ディスク６２、光磁気ディスク６３、或いは半導体メモリ６４などが装着されたとき、それらを駆動し、そこに記録されているプログラムやデータなどを取得する。取得されたプログラムやデータは、必要に応じて記録部３８に転送され、記録される。
【００６２】
なお、音楽構成データ生成装置１２、サーバ１３、および再生装置１４のそれぞれは、音楽素材データ生成装置１１と同様に構成されるので、その説明は省略する。
【００６３】
図３は、音楽素材データ生成装置１１の機能の構成を示すブロック図である。
【００６４】
音楽素材データ生成装置１１は、入力部３６、出力部３７、通信部３９、音楽素材データ生成部８１、再生部８２、音楽素材データ記録部８３、登録制御部８４、および表示制御部８５を含むように構成される。
【００６５】
入力部３６は、キーボード、マウス、スイッチなどよりなり、ユーザが入力部３６を操作することによって、入力した指令に応じた入力信号を生成し、生成した入力信号を、音楽素材データ生成部８１、登録制御部８４、または表示制御部８５に供給する。
【００６６】
入力部３６は、外部音声入力部１０１を備えている。入力部３６の外部音声入力部１０１は、マイク、音声入力端子などからなり、外部から入力された音声を取得し、取得した入力音声を電気信号である音声信号に変換する。そして、入力部３６の外部音声入力部１０１は、変換した音声信号を音楽素材データ生成部８１に供給する。ここで、音楽素材データ生成部８１に供給される音声信号は、いわゆるアナログ信号である。
【００６７】
音楽素材データ生成部８１は、入力部３６から音楽素材データを生成する旨の入力信号が供給されると、入力信号に応じて、音楽素材データを生成する。例えば、音楽素材データ生成部８１は、入力信号に応じて、入力部３６を介して、ギターや楽器のキーボードなどの外部装置から供給されたアナログの音声信号を、デジタルの音声データに変換し、変換した音声データを録音（記録）することによって音楽素材データを生成する。音楽素材データ生成部８１は、生成した音楽素材データを、再生部８２および音楽素材データ記録部８３に供給する。
【００６８】
なお、音楽素材データの詳細は後述するが、音楽素材データには、例えば、音楽を再生するためのデータ、音楽素材データを特定するための音楽素材データＩＤ（Identification）、音楽素材データが、どの楽曲の音楽データを構成するデータであるかを示す楽曲ＩＤ、音楽素材データがどの楽器のトラックデータであるかを特定するトラックＩＤなどが含まれている。
【００６９】
再生部８２は、音楽素材データ生成部８１から供給された、１または複数の音楽素材データを基に、１つの楽曲（音楽）を再生するための音楽データを生成する。再生部８２は、生成した音楽データを、所定の方式でデコード（復号）し、デコードした音楽データを出力部３７に供給する。
【００７０】
出力部３７は、スピーカ、ディスプレイ、ランプなどからなる。スピーカである出力部３７は、再生部８２から供給された音楽データを基に、音楽を再生する。また、ディスプレイである出力部３７は、表示制御部８５から供給された画像データを基に、画像を表示する。
【００７１】
音楽素材データ記録部８３は、例えば、ハードディスクまたは不揮発性の半導体メモリなどにより構成され、音楽素材データ生成部８１から供給された音楽素材データを記録する。音楽素材データ記録部８３は、記録している音楽素材データを、登録制御部８４に供給する。
【００７２】
登録制御部８４は、入力部３６から、音楽素材データをサーバ１３に登録する旨の入力信号が供給されたか否かを判定する。登録制御部８４は、音楽素材データをサーバ１３に登録する旨の入力信号が供給されたと判定された場合、音楽素材データをサーバ１３に登録するための権利管理情報を生成する。
【００７３】
ここで、権利管理情報には、音楽素材データにアクセスできるユーザを特定する情報であるアクセス権情報、音楽素材データをダウンロードまたはコピーできるか否かを示すコピー権情報、および音楽素材データを編集して、異なる音楽素材データに加工できるか否かを示す編集権情報が含まれている。
【００７４】
すなわち、登録制御部８４は、入力部３６から供給された入力信号に応じて、予め記録している登録情報テーブルを参照して、アクセス権情報、コピー権情報、および編集権情報のそれぞれを設定し、権利管理情報を生成する。登録制御部８４は、入力部３６から供給された入力信号によって指定された、音楽素材データを音楽素材データ記録部８３から取得し、取得した音楽素材データおよび生成した権利管理情報を、通信部３９に供給する。なお、登録情報テーブルの詳細は後述するが、登録情報テーブルには、アクセス権情報、コピー権情報、および編集権情報のそれぞれを設定するための情報が含まれている。
【００７５】
登録制御部８４は、音楽素材データをサーバ１３に登録する旨の入力信号が供給されなかったと判定された場合、権利管理情報を生成しない。
【００７６】
通信部３９は、通信網１５を介して各種のデータを送受信する。通信部３９は、登録制御部８４から供給された、音楽素材データおよび権利管理情報を、通信網１５を介してサーバ１３あてに送信する。
【００７７】
表示制御部８５は、入力部３６から、ユーザが入力した情報、音楽素材データの生成結果などを表示する旨の入力信号が供給されると、ユーザが入力した情報、音楽素材データの生成結果などを表示するための画像データを生成する。表示制御部８５は、生成した画像データを出力部３７に供給する。
【００７８】
図４は、音楽構成データ生成装置１２の機能の構成を示すブロック図である。
【００７９】
音楽構成データ生成装置１２は、入力部１２１、音楽構成データ生成部１２２、再生部１２３、音楽素材データ記録部１２４、出力部１２５、音楽構成データ記録部１２６、登録制御部１２７、通信部１２８、および表示制御部１２９を含むように構成される。
【００８０】
入力部１２１は、キーボード、マウス、スイッチなどよりなり、ユーザが入力部１２１を操作することによって、入力した指令に応じた入力信号を生成し、生成した入力信号を、音楽構成データ生成部１２２、登録制御部１２７、または表示制御部１２９に供給する。
【００８１】
音楽構成データ生成部１２２は、入力部１２１から音楽構成データを生成する旨の入力信号が供給されると、入力信号に応じて、音楽構成データを生成する。なお、音楽構成データの詳細は後述するが、音楽構成データには、音楽構成データを特定する音楽構成データＩＤ、楽曲の再生条件を記述（設定）する音楽構成データの集合を特定する構成ＩＤ、音楽構成データが、どの楽器のトラックデータの再生条件を設定するデータであるかを特定するトラックＩＤなどが含まれている。
【００８２】
音楽構成データ生成部１２２は、入力部１２１から供給された入力信号を基に、楽曲ＩＤが指定されたか否かを判定する。
【００８３】
音楽構成データ生成部１２２は、楽曲ＩＤが指定されたと判定された場合、指定された楽曲ＩＤを示す信号を生成し、生成した楽曲ＩＤを示す信号および音楽構成データを、再生部１２３に供給する。音楽構成データ生成部１２２は、楽曲ＩＤが指定されなかったと判定された場合、楽曲ＩＤを示す信号を生成しない。
【００８４】
再生部１２３は、音楽構成データ生成部１２２から供給された、楽曲ＩＤを示す信号を基に、指定された楽曲ＩＤによって特定される音楽データを構成する、音楽素材データを音楽素材データ記録部１２４から取得する。
【００８５】
再生部１２３は、取得した音楽素材データおよび音楽構成データ生成部１２２から供給された音楽構成データを基に、１つの楽曲（音楽）を再生するための音楽データを生成する。すなわち、再生部１２３は、音楽素材データおよび音楽構成データを基に、音楽構成データにおいて設定された再生条件で音楽を再生するための音楽データを生成する。再生部１２３は、生成した音楽データを、所定の方式でデコード（復号）し、デコードした音楽データを出力部１２５に供給する。
【００８６】
音楽素材データ記録部１２４は、音楽データを構成する音楽素材データを記録している。音楽素材データ記録部１２４は、記録している音楽素材データを再生部１２３に供給する。
【００８７】
出力部１２５は、スピーカ、ディスプレイ、ランプなどからなる。スピーカである出力部１２５は、再生部１２３から供給された音楽データを基に、音楽を再生する。また、ディスプレイである出力部１２５は、表示制御部１２９から供給された画像データを基に、画像を表示する。
【００８８】
音楽構成データ記録部１２６は、例えば、ハードディスクまたは不揮発性の半導体メモリなどにより構成され、音楽構成データ生成部１２２から供給された音楽構成データを記録する。音楽構成データ記録部１２６は、記録している音楽構成データを、登録制御部１２７に供給する。
【００８９】
登録制御部１２７は、入力部１２１から、音楽構成データをサーバ１３に登録する旨の入力信号が供給されたか否かを判定する。登録制御部１２７は、音楽構成データをサーバ１３に登録する旨の入力信号が供給されたと判定された場合、音楽構成データをサーバ１３に登録するための権利管理情報を生成する。
【００９０】
ここで、権利管理情報には、音楽構成データにアクセスできるユーザを特定する情報であるアクセス権情報、音楽構成データをダウンロードまたはコピーできるか否かを示すコピー権情報、および音楽構成データを編集して、異なる音楽構成データに加工できるか否かを示す編集権情報が含まれている。
【００９１】
すなわち、登録制御部１２７は、入力部１２１から供給された入力信号に応じて、アクセス権情報、コピー権情報、および編集権情報のそれぞれを設定し、権利管理情報を生成する。登録制御部１２７は、入力部１２１から供給された入力信号によって指定された、音楽構成データを音楽構成データ記録部１２６から取得し、取得した音楽構成データおよび生成した権利管理情報を、通信部１２８に供給する。
【００９２】
登録制御部１２７は、音楽構成データをサーバ１３に登録する旨の入力信号が供給されなかったと判定された場合、権利管理情報を生成しない。
【００９３】
通信部１２８は、通信網１５を介して各種のデータを送受信する。通信部１２８は、登録制御部１２７から供給された、音楽構成データおよび権利管理情報を、通信網１５を介してサーバ１３あてに送信する。
【００９４】
表示制御部１２９は、入力部１２１から、ユーザが入力した情報、音楽構成データの生成結果などを表示する旨の入力信号が供給されると、ユーザが入力した情報、音楽構成データの生成結果などを表示するための画像データを生成する。表示制御部１２９は、生成した画像データを出力部１２５に供給する。
【００９５】
図５は、サーバ１３の機能の構成を示すブロック図である。
【００９６】
サーバ１３は、通信部１５０、音楽素材データ制御部１５１、音楽素材データ記録部１５２、音楽構成データ制御部１５３、音楽構成データ記録部１５４、および認証部１５５を含むように構成される。
【００９７】
通信部１５０は、各種のデータを送信する送信部１７１および各種のデータを受信する受信部１７２を備えており、通信網１５を介してデータの送受信を行う。
【００９８】
通信部１５０の送信部１７１は、音楽素材データ制御部１５１から供給された音楽素材データまたは音楽構成データ制御部１５３から供給された音楽構成データを、通信網１５を介して再生装置１４あてに送信する。また、通信部１５０の送信部１７１は、認証部１５５から供給された、ユーザＩＤおよびパスワードの送信を要求する旨の応答信号、またはユーザが認証された旨の応答信号を、通信網１５を介して再生装置１４あてに送信する。
【００９９】
通信部１５０の受信部１７２は、音楽素材データ生成装置１１から送信されてきた音楽素材データおよび権利管理情報を受信し、受信した音楽素材データおよび権利管理情報を、音楽素材データ制御部１５１に供給する。通信部１５０の受信部１７２は、音楽構成データ生成装置１２から送信されてきた音楽構成データおよび権利管理情報を受信し、受信した音楽構成データおよび権利管理情報を、音楽構成データ制御部１５３に供給する。
【０１００】
また、通信部１５０の受信部１７２は、再生装置１４から送信されてきた、接続要求信号、認証要求信号、または送信要求信号を受信し、受信した接続要求信号、認証要求信号、または送信要求信号を認証部１５５に供給する。
【０１０１】
音楽素材データ制御部１５１は、音楽素材データ生成装置１１が記録している登録情報テーブルと同一の登録情報テーブルを記録している。音楽素材データ制御部１５１は、通信部１５０が、音楽素材データおよび権利管理情報を受信したか否かを判定する。
【０１０２】
音楽素材データ制御部１５１は、通信部１５０が、音楽素材データおよび権利管理情報を受信したと判定された場合、通信部１５０から音楽素材データおよび権利管理情報を取得する。音楽素材データ制御部１５１は、記録している登録情報テーブルを参照して、通信部１５０から取得した音楽素材データおよび権利管理情報を基に、音楽素材データに権利管理情報を付加する。音楽素材データ制御部１５１は、権利管理情報を付加した音楽素材データを、音楽素材データ記録部１５２に供給する。
【０１０３】
音楽素材データ制御部１５１は、通信部１５０が、音楽素材データおよび権利管理情報を受信していないと判定された場合、通信部１５０から、音楽素材データおよび権利管理情報を取得しない。
【０１０４】
音楽素材データ制御部１５１は、認証部１５５から送信要求信号が供給されると、送信要求信号に含まれている、ユーザＩＤおよび音楽素材データＩＤを基に、ユーザＩＤによって特定されるユーザが、要求された音楽素材データを送信してもよいユーザであるか否かを判定する。
【０１０５】
音楽素材データ制御部１５１は、ユーザＩＤによって特定されるユーザが、要求された音楽素材データを送信してもよいユーザであると判定された場合、要求された音楽素材データを、音楽素材データ記録部１５２から取得し、取得した音楽素材データを通信部１５０に供給する。
【０１０６】
音楽素材データ制御部１５１は、ユーザＩＤによって特定されるユーザが、要求された音楽素材データを送信してもよいユーザでないと判定された場合、音楽素材データ記録部１５２から音楽素材データを取得しない。
【０１０７】
音楽素材データ記録部１５２は、例えば、ハードディスクまたは不揮発性の半導体メモリなどにより構成され、音楽素材データ制御部１５１から供給された音楽素材データを記録する。音楽素材データ記録部１５２は、記録している音楽素材データを音楽素材データ制御部１５１に供給する。
【０１０８】
音楽構成データ制御部１５３は、通信部１５０が、音楽構成データおよび権利管理情報を受信したか否かを判定する。
【０１０９】
音楽構成データ制御部１５３は、通信部１５０が、音楽構成データおよび権利管理情報を受信したと判定された場合、通信部１５０から音楽構成データおよび権利管理情報を取得する。音楽構成データ制御部１５３は、通信部１５０から取得した音楽構成データおよび権利管理情報を基に、音楽構成データに権利管理情報を付加する。音楽構成データ制御部１５３は、権利管理情報を付加した音楽構成データを、音楽構成データ記録部１５４に供給する。
【０１１０】
音楽構成データ制御部１５３は、通信部１５０が、音楽構成データおよび権利管理情報を受信していないと判定された場合、通信部１５０から、音楽構成データおよび権利管理情報を取得しない。
【０１１１】
音楽構成データ制御部１５３は、認証部１５５から送信要求信号が供給されると、送信要求信号に含まれている、ユーザＩＤおよび音楽構成データＩＤを基に、ユーザＩＤによって特定されるユーザが、要求された音楽構成データを送信してもよいユーザであるか否かを判定する。
【０１１２】
音楽構成データ制御部１５３は、ユーザＩＤによって特定されるユーザが、要求された音楽構成データを送信してもよいユーザであると判定された場合、要求された音楽構成データを、音楽構成データ記録部１５４から取得し、取得した音楽構成データを通信部１５０に供給する。
【０１１３】
音楽構成データ制御部１５３は、ユーザＩＤによって特定されるユーザが、要求された音楽構成データを送信してもよいユーザでないと判定された場合、音楽構成データ記録部１５４から音楽構成データを取得しない。
【０１１４】
音楽構成データ記録部１５４は、例えば、ハードディスクまたは不揮発性の半導体メモリなどにより構成され、音楽構成データ制御部１５３から供給された音楽構成データを記録する。音楽構成データ記録部１５４は、記録している音楽構成データを音楽構成データ制御部１５３に供給する。
【０１１５】
認証部１５５は、通信部１５０から接続要求信号が供給されると、認証の処理を行う。すなわち、認証部１５５は、通信部１５０から接続要求信号が供給されると、接続要求信号を送信してきたユーザが、正規のユーザであるか否かの判定の処理を行うために、ユーザＩＤおよびパスワードの送信を要求する旨の応答信号を生成する。認証部１５５は、生成した、ユーザＩＤおよびパスワードの送信を要求する旨の応答信号を、通信部１５０に供給する。
【０１１６】
また、認証部１５５は、通信部１５０から認証要求信号が供給されると、認証要求信号に含まれている、ユーザＩＤおよびパスワードを基に、接続要求信号を送信してきたユーザが、正規のユーザであるか否かの判定の処理を行う。認証部１５５は、ユーザが正規のユーザであると認証されると、ユーザが正規のユーザであると認証された旨の応答信号を生成し、生成したユーザが正規のユーザであると認証された旨の応答信号を、通信部１５０に供給する。
【０１１７】
認証部１５５は、通信部１５０から送信要求信号が供給されると、供給された送信要求信号が、音楽素材データの送信を要求する旨の送信要求信号であるか否かを判定する。認証部１５５は、送信要求信号が、音楽素材データの送信を要求する旨の送信要求信号であると判定された場合、供給された送信要求信号を、音楽素材データ制御部１５１に供給する。
【０１１８】
認証部１５５は、送信要求信号が、音楽素材データの送信を要求する旨の送信要求信号でないと判定された場合、供給された送信要求信号が、音楽構成データの送信を要求する旨の送信要求信号であるか否かを判定する。
【０１１９】
認証部１５５は、送信要求信号が、音楽構成データの送信を要求する旨の送信要求信号であると判定された場合、供給された送信要求信号を、音楽構成データ制御部１５３に供給する。認証部１５５は、送信要求信号が、音楽構成データの送信を要求する旨の送信要求信号でないと判定された場合、供給された送信要求信号を、音楽構成データ制御部１５３に供給しない。
【０１２０】
図６は、再生装置１４の機能の構成を示すブロック図である。
【０１２１】
再生装置１４は、通信部１９１、入力部１９２、制御部１９３、音楽素材データ記録部１９４、音楽構成データ記録部１９５、再生部１９６、および出力部１９７を含むように構成される。
【０１２２】
通信部１９１は、各種のデータを送信する送信部２１１および各種のデータを受信する受信部２１２を備えており、通信網１５を介してデータの送受信を行う。
【０１２３】
通信部１９１の送信部２１１は、制御部１９３から供給された、接続要求信号、認証要求信号、または送信要求信号を、通信網１５を介してサーバ１３あてに送信する。
【０１２４】
通信部１９１の受信部２１２は、サーバ１３から送信されてきた、音楽素材データ、音楽構成データ、ユーザＩＤおよびパスワードの送信を要求する旨の応答信号、またはユーザが認証された旨の応答信号を受信し、受信した音楽素材データ、音楽構成データ、ユーザＩＤおよびパスワードの送信を要求する旨の応答信号、またはユーザが認証された旨の応答信号を制御部１９３に供給する。
【０１２５】
入力部１９２は、キーボード、マウス、スイッチなどよりなり、ユーザが入力部１９２を操作することによって、入力した指令に応じた入力信号を生成し、生成した入力信号を制御部１９３に供給する。
【０１２６】
制御部１９３は、入力部１９２から音楽素材データまたは音楽構成データをダウンロードする旨の入力信号が供給されると、サーバ１３に対して接続を要求する旨の接続要求信号を生成し、生成した接続要求信号を通信部１９１に供給する。
【０１２７】
制御部１９３は、通信部１９１からユーザＩＤおよびパスワードの送信を要求する旨の応答信号が供給されると、入力部１９２からの入力信号に応じて、ユーザＩＤおよびパスワードを含む、ユーザの認証を要求する旨の認証要求信号を生成する。制御部１９３は、生成した認証要求信号を通信部１９１に供給する。
【０１２８】
制御部１９３は、通信部１９１から認証された旨の応答信号が供給されると、正規のユーザとして認証されたので、入力部１９２からの入力信号に応じて、音楽素材データまたは音楽構成データの送信を要求する旨の送信要求信を生成し、生成した送信要求信号を通信部１９１に供給する。より詳細には、制御部１９３は、音楽素材データの送信を要求する旨の送信要求信号を生成する場合、ユーザＩＤおよび入力部１９２からの入力信号によって指定された、音楽素材データを特定する音楽素材データＩＤを含む送信要求信号を生成する。
【０１２９】
また、制御部１９３は、音楽構成データの送信を要求する旨の送信要求信号を生成する場合、ユーザＩＤおよび入力部１９２からの入力信号によって指定された、音楽構成データを特定する音楽構成データＩＤを含む送信要求信号を生成する。
【０１３０】
制御部１９３は、通信部１９１から供給された音楽素材データを、音楽素材データ記録部１９４に供給する。また、制御部１９３は、通信部１９１から供給された音楽構成データを、音楽構成データ記録部１９５に供給する。
【０１３１】
制御部１９３は、音楽再生用のアプリケーションプログラムが起動すると、音楽再生の処理に必要な初期設定を行う。制御部１９３は、入力部１９２から、構成ＩＤおよび楽曲ＩＤを含む、音楽を再生する旨の入力信号が供給されると、構成ＩＤおよび楽曲ＩＤを含む、音楽を再生する旨の制御信号を生成し、生成した制御信号を再生部１９６に供給する。
【０１３２】
制御部１９３は、入力部１９２から、音楽素材データＩＤを含む、音楽素材データが選択された旨の入力信号が供給されると、指定された音楽素材データを取得する旨の制御信号を生成し、生成した制御信号を再生部１９６に供給する。また、制御部１９３は、入力部１９２から、音楽構成データＩＤを含む、音楽構成データが選択された旨の入力信号が供給されると、指定された音楽構成データを取得する旨の制御信号を生成し、生成した制御信号を再生部１９６に供給する。
【０１３３】
また、制御部１９３は、入力部１９２から音楽の再生の停止、早送り、巻き戻しなどを指示する旨の入力信号が供給されると、その指示に応じた制御信号を生成し、生成した制御信号を再生部１９６に供給する。
【０１３４】
音楽素材データ記録部１９４は、例えば、ハードディスクまたは不揮発性の半導体メモリなどにより構成され、制御部１９３から供給された音楽素材データを記録する。音楽素材データ記録部１９４は、記録している音楽素材データを再生部１９６に供給する。
【０１３５】
音楽構成データ記録部１９５は、例えば、ハードディスクまたは不揮発性の半導体メモリなどにより構成され、制御部１９３から供給された音楽構成データを記録する。音楽構成データ記録部１９５は、記録している音楽構成データを再生部１９６に供給する。
【０１３６】
再生部１９６は、制御部１９３から、音楽素材データを取得する旨の制御信号が供給されると、指定された音楽素材データを、音楽素材データ記録部１９４から取得し、取得した音楽素材データを一時的に保持する。再生部１９６は、制御部１９３から、音楽構成データを取得する旨の制御信号が供給されると、指定された音楽構成データを、音楽構成データ記録部１９５から取得し、取得した音楽構成データを一時的に保持する。
【０１３７】
再生部１９６は、制御部１９３から、構成ＩＤおよび楽曲ＩＤを含む、音楽を再生する旨の制御信号が供給されると、制御信号によって指定された楽曲ＩＤを含む音楽素材データを、音楽素材データ記録部１９４から取得する。また、再生部１９６は、制御信号によって指定された構成ＩＤを含む音楽構成データを、音楽構成データ記録部１９５から取得する。
【０１３８】
より詳細には、再生部１９６は、制御信号によって指定された楽曲ＩＤを含む音楽素材データを保持していない場合、音楽素材データを音楽素材データ記録部１９４から取得し、制御信号によって指定された楽曲ＩＤを含む音楽素材データを保持している場合、音楽素材データを取得しない。同様に、再生部１９６は、制御信号によって指定された構成ＩＤを含む音楽構成データを保持していない場合、音楽構成データを音楽構成データ記録部１９５から取得し、制御信号によって指定された構成ＩＤを含む音楽構成データを保持している場合、音楽構成データを取得しない。
【０１３９】
再生部１９６は、音楽データ生成部２１３を備えている。再生部１９６の音楽データ生成部２１３は、制御部１９３から、構成ＩＤおよび楽曲ＩＤを含む、音楽を再生する旨の制御信号が供給されると、指定された楽曲ＩＤを含む音楽素材データおよび指定された構成ＩＤを含む音楽構成データを基に、音楽構成データにおいて設定された再生条件で音楽を再生するための音楽データを生成する。
【０１４０】
再生部１９６は、再生部１９６の音楽データ生成部２１３が生成した音楽データを、所定の方式によりデコード（復号）し、デコードした音楽データを出力部１９７に供給する。再生部１９６は、制御部１９３から、音楽の再生の停止、早送り、巻き戻しなどを指示する旨の制御信号が供給されると、その制御信号の指示に応じた処理を実行する。
【０１４１】
出力部１９７は、スピーカ、ディスプレイ、ランプなどからなる。スピーカである出力部１９７は、再生部１９６から供給された音楽データを基に、音楽を再生する。また、ディスプレイである出力部１９７は、制御部１９３から供給された画像データを基に、画像を表示する。
【０１４２】
次に、図７のフローチャートを参照して、音楽素材データ生成装置１１による、音楽素材データ登録の処理を説明する。
【０１４３】
ステップＳ１１において、音楽素材データ生成部８１は、入力部３６から供給された入力信号に基づいて、音楽素材データを生成し、生成した音楽素材データを、再生部８２および音楽素材データ記録部８３に供給する。
【０１４４】
例えば、ステップＳ１１において、音楽素材データ生成部８１は、入力部３６の外部音声入力部１０１を介して、ギター、楽器のキーボードなどの外部装置から供給された、アナログの音声信号を、デジタルの音声データに変換し、変換した音声データを録音（記録）することによって音楽素材データを生成する。
【０１４５】
ここで、図８は、音楽素材データを説明する図である。
【０１４６】
音楽素材データには、例えば、音楽を再生するためのデータ、音楽素材データを特定するための音楽素材データＩＤ“００１５”、音楽素材データがどの楽曲の音楽データを構成するデータであるかを示す楽曲ＩＤ“０００３”、音楽素材データがどの楽器のトラックデータであるかを示すトラックＩＤ“０００１”、および音楽素材データのファイル名“music3-vocal.mp3”が含まれている。
【０１４７】
ここで、トラックＩＤは、例えば、トラックデータの楽器ごとに予め定められている。したがって、例えば、トラックＩＤが“０００１”である音楽素材データは、ボーカルのトラックデータである音楽素材データであり、トラックＩＤが“０００３”である音楽素材データは、ピアノのトラックデータである音楽素材データであり、トラックＩＤが“０００６”である音楽素材データは、ギターのトラックデータである音楽素材データであり、トラックＩＤが“００１２”である音楽素材データは、ドラムのトラックデータである音楽素材データである。
【０１４８】
また、例えば、音楽素材データのファイル名“music3-vocal.mp3”において、“music3”は楽曲ＩＤが“０００３”であることを表しており、“vocal”は、音楽素材データが、ボーカルのトラックデータであることを表しており、拡張子“mp3”は、音楽素材データが、MP3（MPEG（Moving Picture Experts Group）１ Audio Layer3）方式のデータであることを表している。
【０１４９】
したがって、例えば、図８に示す音楽素材データは、音楽素材データＩＤが“００１５”であるMP3方式のデータであって、楽曲ＩＤが“０００３”である楽曲の音楽データを構成する、ボーカルのトラックデータである。
【０１５０】
図７のフローチャートの説明に戻り、ステップＳ１２において、再生部８２は、音楽素材データ生成部８１から供給された、１または複数の音楽素材データを基に、１つの楽曲（音楽）を再生するための音楽データを生成する。再生部８２は、生成した音楽データを、所定の方式でデコードし、デコードした音楽データを出力部３７に供給する。
【０１５１】
例えば、ステップＳ１２において、再生部８２は、音楽素材データ生成部８１から供給された音楽素材データのうち、楽曲ＩＤ“０００３”を含む１または複数の音楽素材データを基に、楽曲ＩＤが“０００３”である楽曲（音楽）を再生するための音楽データを生成する。再生部８２は、生成した音楽データを、例えば、MP3方式、WAV方式などの方式でデコードし、デコードした音楽データを出力部３７に供給する。
【０１５２】
なお、再生部８２は、音楽データを生成せずに、１つの音楽素材データを出力部３７に供給するようにしてもよい。
【０１５３】
ステップＳ１３において、スピーカである出力部３７は、再生部８２から供給された音楽データを基に、音楽を再生する。
【０１５４】
ステップＳ１４において、音楽素材データ記録部８３は、音楽素材データ生成部８１から供給された音楽素材データを記録する。
【０１５５】
ステップＳ１５において、登録制御部８４は、入力部３６から、音楽素材データを登録する旨の入力信号が供給されたか否かを判定する。
【０１５６】
ステップＳ１５において、入力部３６から、音楽素材データを登録する旨の入力信号が供給されたと判定された場合、ステップＳ１６に進み、登録制御部８４は、入力部３６から供給された入力信号に応じて、アクセス権情報を設定する。
【０１５７】
ここで、例えば、登録制御部８４は、図９に示す登録情報テーブルを参照し、入力部３６から供給された入力信号に応じて、アクセス権情報を設定する。
【０１５８】
登録情報テーブルには、登録情報を特定するための登録情報ＩＤ、音楽素材データにアクセスできるユーザを特定する情報であるアクセス権情報、音楽素材データをダウンロードまたはコピーできるか否かを示すコピー権情報、および音楽素材データを編集して、異なる音楽素材データに加工できるか否かを示す編集権情報が含まれている。
【０１５９】
ここで、登録情報テーブルに含まれている登録情報は、アクセス権情報に“public”、“friends”、または“private”の何れかが設定されている。すなわち、アクセス権情報に“public”が設定されている音楽素材データは、全てのユーザがアクセスすることができる音楽素材データであり、アクセス権情報に“friends”が設定されている音楽素材データは、音楽素材データを生成したユーザが設定した、特定のユーザだけがアクセスできる音楽素材データであり、アクセス権情報に“private”が設定されている音楽素材データは、音楽素材データを生成したユーザだけがアクセスできる音楽素材データである。
【０１６０】
また、登録情報テーブルに含まれている登録情報は、コピー権情報にコピーが可能な回数が設定されている。すなわち、例えば、コピー権情報に“０”が設定されている音楽素材データは、ダウンロードすることができない音楽素材データであり、コピー権情報に“１”が設定されている音楽素材データは、ダウンロードの１回のみコピーすることはできるが、ダウンロードした装置以外の装置へは、コピーすることができない音楽素材データであり、コピー権情報に“４”が設定されている音楽素材データは、ダウンロードの後、すなわち、１回のコピーの後、３回まで他の装置へコピーすることができる音楽素材データであり、コピー権情報に“free”が設定されている音楽素材データは、ダウンロードすることがき、かつ、コピーすることができる音楽素材データである。
【０１６１】
さらに、登録情報テーブルに含まれている登録情報は、編集権情報に“可”または“不可”の何れかが設定されている。すなわち、編集権情報に“可”が設定されている音楽素材データは、音楽素材データを編集して、異なる音楽素材データに加工することができる音楽素材データであり、編集権情報に“不可”が設定されている音楽素材データは、音楽素材データを編集して、異なる音楽素材データに加工することができない音楽素材データである。
【０１６２】
図９の例において、登録情報ＩＤが“１”である登録情報は、アクセス権情報に“public”が設定され、コピー権情報に“１”が設定され、編集権情報に“不可”が設定されている。また、登録情報ＩＤが“２”である登録情報は、アクセス権情報に“private”が設定され、コピー権情報に“free”が設定され、編集権情報に“可”が設定されている。
【０１６３】
同様に、登録情報ＩＤが“３”である登録情報は、アクセス権情報に“friends”が設定され、コピー権情報に“free”が設定され、編集権情報に“可”が設定されている。登録情報ＩＤが“４”である登録情報は、アクセス権情報に“public”が設定され、コピー権情報に“free”が設定され、編集権情報に“不可”が設定されている。さらに、登録情報ＩＤが“５”である登録情報は、アクセス権情報に“public”が設定され、コピー権情報に“０”が設定され、編集権情報に“不可”が設定されている。
【０１６４】
例えば、登録制御部８４は、登録情報テーブルを参照して、登録情報ＩＤを含む権利管理情報を生成する。なお、コピー権情報および編集権情報は、例えば、会員であるユーザに対しては、コピー権情報に“free”を設定し、その他の一般のユーザに対しては、コピー権情報に“０”を設定するなど、ユーザごとに設定するようにすることも可能である。
【０１６５】
図７のフローチャートの説明に戻り、例えば、ステップＳ１６において、登録制御部８４は、図９に示す登録情報テーブルを参照し、入力部３６から供給された入力信号に応じて、アクセス権情報に“public”、“friends”、または“private”の何れかを設定する。
【０１６６】
ステップＳ１７において、登録制御部８４は、入力部３６から供給された入力信号に応じて、コピー権情報を設定する。例えば、ステップＳ１７において、登録制御部８４は、図９に示す登録情報テーブルを参照し、入力部３６から供給された入力信号に応じて、コピー権情報にコピーが可能な回数を設定する。
【０１６７】
ステップＳ１８において、登録制御部８４は、入力部３６から供給された入力信号に応じて、編集権情報を設定する。例えば、ステップＳ１８において、登録制御部８４は、図９に示す登録情報テーブルを参照し、入力部３６から供給された入力信号に応じて、編集権情報に“可”または“不可”の何れかを設定する。
【０１６８】
ステップＳ１９において、登録制御部８４は、入力部３６から供給された入力信号に応じて、設定したアクセス権情報、コピー権情報、編集権情報を基に、権利管理情報を生成する。すなわち、この場合、１つの音楽素材データに対して、１つの権利管理情報が生成される。例えば、ステップＳ１９において、登録制御部８４は、入力部３６から供給された入力信号に応じて、設定したアクセス権情報、コピー権情報、編集権情報を基に、登録情報ＩＤおよび音楽素材データを生成したユーザ（音楽素材データ生成装置１１を操作しているユーザ）を特定するユーザＩＤを含む権利管理情報を生成する。
【０１６９】
したがって、例えば、アクセス権情報に“public”が設定され、コピー権情報に“１”が設定され、編集権情報に“不可”が設定された場合、登録制御部８４は、登録情報ＩＤ“１”および音楽素材データを生成したユーザのユーザＩＤを含む権利管理情報を生成する。
【０１７０】
ステップＳ２０において、登録制御部８４は、入力部３６から供給された入力信号によって指定された、音楽素材データを音楽素材データ記録部８３から取得し、取得した音楽素材データおよび生成した権利管理情報を、通信部３９に供給する。
【０１７１】
ステップＳ２１において、通信部３９は、登録制御部８４から供給された音楽素材データおよび権利管理情報を、通信網１５を介してサーバ１３あてに送信し、音楽素材データ登録の処理は、終了する。
【０１７２】
なお、通信部３９は、同一の楽曲ＩＤを含む音楽素材データおよび音楽素材データの権利管理情報を、まとめてサーバ１３あてに送信するようにしてもよく、１つの音楽素材データおよび音楽素材データの権利管理情報をサーバ１３あてに送信するようにしてもよい。
【０１７３】
一方、ステップＳ１５において、入力部３６から、音楽素材データを登録する旨の入力信号が供給されなかったと判定された場合、音楽素材データをサーバ１３に登録しないので、ステップＳ１６の処理乃至ステップＳ２１の処理はスキップされ、音楽素材データ登録の処理は、終了する。
【０１７４】
このようにして、音楽素材データ生成装置１１は、音楽素材データおよび権利管理情報を生成し、生成した音楽素材データおよび権利管理情報を、通信網１５を介してサーバ１３あてに送信することによって、音楽素材データをサーバ１３に登録する。
【０１７５】
このように、生成した１つの音楽素材データに対して、１つの権利管理情報を生成することによって、音楽素材データを生成したユーザが、音楽素材データごとにアクセス権情報、コピー権情報、および編集権情報を設定することができる。また、生成した音楽素材データを基に、音楽（トラック）を再生することによって、ユーザは、生成した音楽素材データに対応するトラックを試聴してから、生成した音楽素材データを登録するか否かを判断することができる。
【０１７６】
なお、音楽素材データ生成部８１が、生成した音楽素材データを、音楽素材データ記録部８３に供給すると説明したが、入力部３６から、音楽素材データを記録する旨の入力信号が音楽素材データ生成部８１に供給されてから、音楽素材データ生成部８１が、音楽素材データを音楽素材データ記録部８３に供給するようにしてもよい。
【０１７７】
次に、図１０のフローチャートを参照して、音楽構成データ生成装置１２による、音楽構成データ登録の処理を説明する。
【０１７８】
ステップＳ５１において、音楽構成データ生成部１２２は、入力部１２１から供給された入力信号に基づいて、音楽構成データを生成する。例えば、ステップＳ５１において、音楽構成データ生成部１２２は、入力部１２１から供給された入力信号に基づいて、図１１に示す音楽構成データを生成する。
【０１７９】
例えば、音楽構成データには、音楽構成データを特定する、音楽構成データＩＤ“００２２”、楽曲の再生条件を設定する音楽構成データの集合を特定する、構成ＩＤ“００１１”、音楽構成データが、どの楽曲のトラックデータの再生条件を設定するデータであるかを特定するトラックＩＤ“０００１”、トラックの再生時の音量“０．０”、トラックの再生時のキー（調）“Ｃ”、音像の位置を表す音像定位“（0.0，0.0）”が含まれている。
【０１８０】
ここで、構成ＩＤ“００１１”は、楽曲の再生条件を設定する音楽構成データの集合を現しており、１つの楽曲の再生条件は、構成ＩＤ“００１１”を含む、１または複数の音楽構成データによって決定される。
【０１８１】
したがって、例えば、ユーザが、構成ＩＤ“００１１”を指定して１つの楽曲を再生する場合、図１１に示す音楽構成データＩＤ“００２２”を含む音楽構成データは、再生する楽曲の音楽データを構成する音楽素材データのうち、トラックＩＤ“０００１”を含む音楽素材データの再生条件を決定する。
【０１８２】
また、音量“０．０”は、音楽素材データによって再生されるトラックの音量を０倍することを表す。したがって、この場合、トラックＩＤ“０００１”を含む音楽素材データによって再生されるトラックの再生時の音量は、予め設定されているトラックの音量に関わらず、“０”とされる。同様に、例えば、音量が“２．０”である場合、対応するトラックは、予め設定されているトラックの音量の２倍の音量で再生される。
【０１８３】
さらに、また、キー“Ｃ”は、再生するトラックのキー（調）を表す。すなわち、この場合、トラックＩＤ“０００１”を含む音楽素材データによって再生されるトラックは、キーが“Ｃ”で再生される。
【０１８４】
さらに、また、音像定位“（0.0，0.0）”は、例えば、ユーザを中心とした音像定位を表す。例えば、ユーザを中心として、互いに直交するｘ軸およびｙ軸からなる２次元の座標系における座標の位置を表す。したがって、この場合、音像定位“（0.0,0.0）”は、ユーザの位置に音源があるような音像定位を表す。また、例えば、音像定位“（1.0,0.0）”は、ユーザの右方向に音源があり、音像定位“（0.0,1.0）”は、ユーザの正面方向に音源があるような音像定位を表している。
【０１８５】
また、音像定位には、架空的な音源の位置を表すデータだけでなく、架空的な音源の指向性を表すデータを付加するようにしてもよい。例えば、架空的な音源の指向性を表すデータを付加することで、ユーザの正面から右方向に伝わる音を定義することもできる。
【０１８６】
したがって、音楽構成データＩＤ“００２２”によって特定される音楽構成データは、１つの楽曲の音楽データを構成する音楽素材データのうち、トラックＩＤ“０００１”を含む音楽素材データによって再生されるトラックの再生条件を、音量“０．０”、キー（調）“Ｃ”、音像定位“（0.0，0.0）”に設定するためのデータである。
【０１８７】
図１０のフローチャートの説明に戻り、ステップＳ５２において、音楽構成データ生成部１２２は、入力部１２１から供給された入力信号を基に、楽曲ＩＤが指定されたか否かを判定する。
【０１８８】
ステップＳ５２において、楽曲ＩＤが指定されていないと判定された場合、ステップＳ５２に戻り、楽曲ＩＤが指定されたと判定されるまで、判定の処理を繰り返す。
【０１８９】
一方、ステップＳ５２において、楽曲ＩＤが指定されたと判定された場合、ステップＳ５３に進み、音楽構成データ生成部１２２は、指定された楽曲ＩＤを示す信号を生成し、生成した楽曲ＩＤを示す信号および音楽構成データを再生部１２３に供給する。また、音楽構成データ生成部１２２は、生成した音楽構成データを、音楽構成データ記録部１２６に供給する。なお、ステップＳ５２において、所定の時間が経過しても楽曲ＩＤが指定されたと判定されなかった場合、予め定められた楽曲ＩＤを示す信号を生成し、生成した楽曲ＩＤを示す信号および音楽構成データを再生部１２３に供給するようにしてもよい。
【０１９０】
ステップＳ５４において、再生部１２３は、音楽構成データ生成部１２２から供給された楽曲ＩＤを示す信号を基に、指定された楽曲ＩＤを含む音楽素材データを、音楽素材データ記録部１２４から取得する。
【０１９１】
ステップＳ５５において、再生部１２３は、音楽構成データ生成部１２２から供給された音楽構成データ、および音楽素材データ記録部１２４から取得した音楽素材データを基に、音楽構成データにおいて設定された再生条件で、音楽を再生するための音楽データを生成する。再生部１２３は、生成した音楽データを所定の方式でデコードし、デコードした音楽データを出力部１２５に供給する。
【０１９２】
例えば、ステップＳ５５において、再生部１２３は、音楽構成データ生成部１２２から供給された、構成ＩＤ“００１１”を含む１または複数の音楽構成データ、および音楽素材データ記録部１２４から取得した、楽曲ＩＤ“０００３”を含む、１または複数の音楽素材データを基に、構成ＩＤ“００１１”を含む音楽構成データにおいて設定された再生条件で、楽曲ＩＤが“０００３”である楽曲（音楽）を再生するための音楽データを生成する。再生部１２３は、生成した音楽データを、例えば、MP3方式、WAV方式などの方式でデコードし、デコードした音楽データを出力部１２５に供給する。
【０１９３】
なお、音楽構成データを基に、１つの楽曲を再生するための音楽データを生成すると説明したが、１つの音楽構成データと、音楽構成データに含まれるトラックＩＤと同一のトラックＩＤを含む音楽素材データを基に、１つのトラックデータを生成するようにしてもよい。
【０１９４】
ステップＳ５６において、スピーカである出力部１２５は、再生部１２３から供給された音楽データを基に音楽を再生する。
【０１９５】
ステップＳ５７において、音楽構成データ記録部１２６は、音楽構成データ生成部１２２から供給された音楽構成データを記録する。
【０１９６】
ステップＳ５８において、登録制御部１２７は、入力部１２１から音楽構成データを登録する旨の入力信号が供給されたか否かを判定する。
【０１９７】
ステップＳ５８において、入力部１２１から音楽構成データを登録する旨の入力信号が供給されたと判定された場合、ステップＳ５９に進み、登録制御部１２７は、入力部１２１から供給された入力信号に応じて、アクセス権情報を設定する。
【０１９８】
例えば、ステップＳ５９において、登録制御部１２７は、入力部１２１から供給された入力信号に応じて、アクセス権情報に“public”、“friends”、または“private”の何れかを設定する。ここで、アクセス権情報に“public”が設定されている音楽構成データは、全てのユーザがアクセスすることができる音楽構成データであり、アクセス権情報に“friends”が設定されている音楽構成データは、音楽構成データを生成したユーザが設定した、特定のユーザだけがアクセスできる音楽構成データであり、アクセス権情報に“private”が設定されている音楽構成データは、音楽構成データを生成したユーザだけがアクセスできる音楽構成データである。
【０１９９】
なお、より詳細には、登録制御部１２７は、構成ＩＤを含む音楽構成データごとにアクセス権情報を設定する。すなわち、この場合、同一の構成ＩＤを含む音楽構成データには、同一のアクセス権情報が設定される。
【０２００】
ステップＳ６０において、登録制御部１２７は、入力部１２１から供給された入力信号に応じて、コピー権情報を設定する。例えば、ステップＳ６０において、登録制御部１２７は、入力部１２１から供給された入力信号に応じて、コピー権情報にコピーが可能な回数を設定する。
【０２０１】
ここで、例えば、コピー権情報に“０”が設定されている音楽構成データは、ダウンロードすることができない音楽構成データであり、コピー権情報に“１”が設定されている音楽構成データは、ダウンロードの１回のみコピーすることはできるが、ダウンロードした装置以外の装置へは、コピーすることができない音楽構成データであり、コピー権情報に“４”が設定されている音楽構成データは、ダウンロードの後、すなわち、１回のコピーの後、３回まで他の装置へコピーすることができる音楽構成データであり、コピー権情報に“free”が設定されている音楽構成データは、ダウンロードすることがき、かつ、コピーすることができる音楽構成データである。
【０２０２】
なお、より詳細には、登録制御部１２７は、構成ＩＤを含む音楽構成データごとにコピー権情報を設定する。すなわち、この場合、同一の構成ＩＤを含む音楽構成データには、同一のコピー権情報が設定される。
【０２０３】
ステップＳ６１において、登録制御部１２７は、入力部１２１から供給された入力信号に応じて、編集権情報を設定する。例えば、ステップＳ６１において、登録制御部１２７は、入力部１２１から供給された入力信号に応じて、編集権情報に“可”または“不可”の何れかを設定する。
【０２０４】
編集権情報に“可”が設定されている音楽構成データは、音楽構成データを編集して、異なる音楽構成データに加工することができる音楽構成データであり、編集権情報に“不可”が設定されている音楽構成データは、音楽構成データを編集して、異なる音楽構成データに加工することができない音楽構成データである。
【０２０５】
なお、より詳細には、登録制御部１２７は、構成ＩＤを含む音楽構成データごとに編集権情報を設定する。すなわち、この場合、同一の構成ＩＤを含む音楽構成データには、同一の編集権情報が設定される。
【０２０６】
ステップＳ６２において、登録制御部１２７は、入力部１２１から供給された入力信号に応じて、設定したアクセス権情報、コピー権情報、編集権情報を基に、権利管理情報を生成する。すなわち、この場合、同一の構成ＩＤを含む音楽構成データに対して、１つの権利管理情報が生成される。例えば、ステップＳ６２において、登録制御部１２７は、入力部１２１から供給された入力信号に応じて、図１２に示す権利管理情報を生成する。
【０２０７】
権利管理情報には、構成ＩＤ、アクセス権情報、コピー権情報、編集権情報、および音楽構成データを生成したユーザを特定するユーザＩＤが含まれている。すなわち、この場合、登録制御部１２７は、構成ＩＤが“００１１”であり、アクセス権情報に“public”が設定され、コピー権情報に“１”が設定され、編集権情報に“不可”が設定されている権利管理情報を生成する。
【０２０８】
ステップＳ６３において、登録制御部１２７は、入力部１２１から供給された入力信号によって指定された、音楽構成データを音楽構成データ記録部１２６から取得し、取得した音楽構成データおよび生成した権利管理情報を、通信部１２８に供給する。
【０２０９】
ステップＳ６４において、通信部１２８は、登録制御部１２７から供給された音楽構成データおよび権利管理情報を、通信網１５を介してサーバ１３あてに送信し、音楽構成データ登録の処理は、終了する。例えば、ステップＳ６４において、通信部１２８は、同一の構成ＩＤを含む１または複数の音楽構成データ、および音楽構成データに含まれる構成ＩＤと同一の構成ＩＤを含む権利管理情報を、通信網１５を介してサーバ１３あてに送信する。
【０２１０】
一方、ステップＳ５８において、入力部１２１から、音楽構成データを登録する旨の入力信号が供給されなかったと判定された場合、音楽構成データをサーバ１３に登録しないので、ステップＳ５９の処理乃至ステップＳ６４の処理はスキップされ、音楽構成データ登録の処理は、終了する。
【０２１１】
このようにして、音楽構成データ生成装置１２は、音楽構成データおよび権利管理情報を生成し、生成した音楽構成データおよび権利管理情報を、通信網１５を介してサーバ１３あてに送信することによって、音楽構成データをサーバ１３に登録する。
【０２１２】
このように、生成した音楽構成データに対して権利管理情報を生成することによって、音楽構成データを生成したユーザが、アクセス権情報、コピー権情報、および編集権情報を設定することができる。また、生成した音楽構成データを基に、音楽を再生することによって、ユーザは、生成した音楽構成データによって設定された再生条件で音楽を試聴してから、生成した音楽構成データを登録するか否かを判断することができる。
【０２１３】
また、音楽データを構成する音楽素材データごとに、再生条件を設定することにより、ユーザは、状況や嗜好に応じた雰囲気の音楽を聴くことができる。さらに、音楽構成データにおいて、音楽素材データごとに再生条件を設定することで、例えば、ユーザに対して、ボーカルを中央に配置し、ギターを右側に配置し、ベースを左側に配置し、さらにドラムを後方に配置するように音像定位を設定することができ、ユーザは、音楽の空間的広がりを楽しむことができる。
【０２１４】
なお、音楽構成データ生成部１２２が、生成した音楽構成データを、音楽構成データ記録部１２６に供給すると説明したが、入力部１２１から、音楽構成データを記録する旨の入力信号が音楽構成データ生成部１２２に供給されてから、音楽構成データ生成部１２２が、音楽構成データを音楽構成データ記録部１２６に供給するようにしてもよい。
【０２１５】
また、音像定位を２次元の座標系において設定すると説明したが、３次元の座標系において設定するようにすることも可能である。さらに、音楽構成データにおいて、音量、キー、および音像定位を設定すると説明したが、その他、マルチトラックのデータを２チャンネルの出力にするかまたは５．１チャンネルの出力にするかなどのトラックダウン情報、音質を示す情報、曲間情報、リバーブ（残響）やディレイなどのエフェクト情報などを設定するようにしてもよい。
【０２１６】
さらに、また、音楽構成データにおいて時間を表すパラメータを設定することによって、音量または音像定位の設定を時間方向に変化させ、フェードインまたはフェードアウトさせたり、音像定位が時間の経過とともに移動するようにしてもよい。
【０２１７】
図１３のフローチャートを参照して、サーバ１３による登録の処理を説明する。
【０２１８】
サーバ１３は、音楽素材データ生成装置１１から、音楽素材データおよび権利管理情報が送信されてくるか、または音楽構成データ生成装置１２から、音楽構成データおよび権利管理情報が送信されてくると、登録の処理を行う。
【０２１９】
ステップＳ９１において、音楽素材データ制御部１５１は、通信部１５０が、音楽素材データおよび権利管理情報を受信したか否かを判定する。
【０２２０】
ステップＳ９１において、通信部１５０が、音楽素材データおよび権利管理情報を受信したと判定された場合、音楽素材データおよび権利管理情報が、通信部１５０から音楽素材データ制御部１５１に供給されるので、ステップＳ９２に進み、音楽素材データ制御部１５１は、供給された音楽素材データおよび権利管理情報を基に、音楽素材データに権利管理情報を付加し、権利管理情報を付加した音楽素材データを、音楽素材データ記録部１５２に供給する。
【０２２１】
例えば、ステップＳ９２において、音楽素材データ制御部１５１は、供給された音楽素材データおよび権利管理情報を基に、予め記録している登録情報テーブルを参照して、音楽素材データに権利管理情報を付加し、権利管理情報を付加した音楽素材データを、音楽素材データ記録部１５２に供給する。
【０２２２】
したがって、例えば、音楽素材データ制御部１５１が、図９に示す登録情報テーブルを記録しており、権利管理情報に含まれる登録情報ＩＤが“１”であった場合、音楽素材データ制御部１５１は、アクセス権情報に“public”が設定され、コピー権情報に“１”が設定され、編集権情報に“不可”が設定されている権利管理情報を音楽素材データに付加し、権利管理情報を付加した音楽素材データを、音楽素材データ記録部１５２に供給する。
【０２２３】
より詳細には、音楽素材データ制御部１５１は、予め記録している登録情報テーブルを参照して、供給された権利管理情報に含まれる登録情報ＩＤおよびユーザＩＤに基づいて、権利管理情報を音楽素材データに付加する。また、例えば、アクセス権情報に“friends”、または“private”が設定されているとき、他のユーザのユーザＩＤやログイン名など、音楽素材データに付加する権利管理情報に必要な情報が、音楽素材データ生成装置１１から送信されてくる権利管理情報に予め含まれているようにしてもよく、音楽素材データ生成装置１１に接続し、認証の処理を行った後、音楽素材データ生成装置１１が、他のユーザのユーザＩＤやログイン名など、音楽素材データに付加する権利管理情報に必要な情報を送信するようにしてもよい。
【０２２４】
ステップＳ９３において、音楽素材データ記録部１５２は、音楽素材データ制御部１５１から供給された音楽素材データを記録し、手続きは、ステップＳ９１に戻る。
【０２２５】
したがって、例えば、音楽素材データ記録部１５２には、図１４に示す音楽素材データが記録されている。
【０２２６】
この場合、音楽素材データ記録部１５２は、音楽素材データＩＤが“００１５”であり、楽曲ＩＤが“０００３”であり、トラックＩＤが“０００１”であり、ファイル名が“music3-vocal.mp3”であり、登録情報ＩＤ“１”によって特定される登録情報に基づいて設定された権利管理情報を含む音楽素材データを記録している。
【０２２７】
また、音楽素材データ記録部１５２は、音楽素材データＩＤが“００１６”であり、楽曲ＩＤが“０００３”であり、トラックＩＤが“０００３”であり、ファイル名が“music3-piano.mp3”であり、登録情報ＩＤ“１”によって特定される登録情報に基づいて設定された権利管理情報を含む音楽素材データを記録しており、音楽素材データＩＤが“００１７”であり、楽曲ＩＤが“０００３”であり、トラックＩＤが“００１２”であり、ファイル名が“music3-drum.mp3”であり、登録情報ＩＤ“２”によって特定される登録情報に基づいて設定された権利管理情報を含む音楽素材データを記録している。
【０２２８】
同様に、音楽素材データ記録部１５２は、音楽素材データＩＤが“００１８”であり、楽曲ＩＤが“０００５”であり、トラックＩＤが“０００６”であり、ファイル名が“music5-guitar.wav”であり、登録情報ＩＤ“３”によって特定される登録情報に基づいて設定された権利管理情報を含む音楽素材データを記録しており、音楽素材データＩＤが“００１９”であり、楽曲ＩＤが“０００５”であり、トラックＩＤが“０００１”であり、ファイル名が“music5-vocal.wav”であり、登録情報ＩＤ“４”によって特定される登録情報に基づいて設定された権利管理情報を含む音楽素材データを記録している。
【０２２９】
一方、ステップＳ９１において、通信部１５０が、音楽素材データおよび権利管理情報を受信していないと判定された場合、ステップＳ９４に進み、音楽構成データ制御部１５３は、通信部１５０が、音楽構成データおよび権利管理情報を受信したか否かを判定する。
【０２３０】
ステップＳ９４において、通信部１５０が、音楽構成データおよび権利管理情報を受信したと判定された場合、音楽構成データおよび権利管理情報が、通信部１５０から音楽構成データ制御部１５３に供給されるので、ステップＳ９５に進み、音楽構成データ制御部１５３は、供給された音楽構成データおよび権利管理情報を基に、音楽構成データに権利管理情報を付加し、権利管理情報を付加した音楽構成データを、音楽構成データ記録部１５４に供給する。
【０２３１】
より詳細には、音楽構成データ制御部１５３は、供給された権利管理情報およびユーザＩＤに基づいて、権利管理情報を音楽構成データに付加する。また、例えば、アクセス権情報に“friends”、または“private”が設定されているとき、他のユーザのユーザＩＤやログイン名など、音楽構成データに付加する権利管理情報に必要な情報が、音楽構成データ生成装置１２から送信されてくる権利管理情報に予め含まれているようにしてもよく、音楽構成データ生成装置１２に接続し、認証の処理を行った後、音楽構成データ生成装置１２が、他のユーザのユーザＩＤやログイン名など、音楽構成データに付加する権利管理情報に必要な情報を送信するようにしてもよい。
【０２３２】
ステップＳ９６において、音楽構成データ記録部１５４は、音楽構成データ制御部１５３から供給された音楽構成データを記録し、手続きは、ステップＳ９１に戻り、上述した処理を繰り返す。
【０２３３】
したがって、例えば、音楽構成データ記録部１５４には、図１５に示す音楽構成データが記録されている。
【０２３４】
この場合、音楽構成データ記録部１５４は、音楽構成データＩＤが“００２２”であり、構成ＩＤが“００１１”であり、トラックＩＤが“０００１”であり、音量に“０．０”が設定され、キーに“Ｃ”が設定され、音像定位に“（0.0，0.0）”が設定されている音楽構成データを記録している。
【０２３５】
また、音楽構成データ記録部１５４は、音楽構成データＩＤが“００２３”であり、構成ＩＤが“００１１”であり、トラックＩＤが“０００３”であり、音量に“１．０”が設定され、キーに“Ｃ”が設定され、音像定位に“（1.0，0.0）”が設定されている音楽構成データを記録しており、音楽構成データＩＤが“００２４”であり、構成ＩＤが“００１１”であり、トラックＩＤが“００１２”であり、音量に“０．５”が設定され、キーに“Ｃ”が設定され、音像定位に“（-1.0，0.0）”が設定されている音楽構成データを記録している。
【０２３６】
同様に、音楽構成データ記録部１５４は、音楽構成データＩＤが“００２５”であり、構成ＩＤが“０００５”であり、トラックＩＤが“０００６”であり、音量に“０．０”が設定され、キーに“Ａ”が設定され、音像定位に“（0.0，0.0）”が設定されている音楽構成データを記録しており、音楽構成データＩＤが“００２６”であり、構成ＩＤが“０００５”であり、トラックＩＤが“０００１”であり、音量に“１．０”が設定され、キーに“Ａ”が設定され、音像定位に“（0.0，0.0）”が設定されている音楽構成データを記録している。
【０２３７】
また、音楽構成データ記録部１５４に記録されている音楽構成データには、音楽構成データに含まれる構成ＩＤごとに、図１６に示す権利管理情報が付加されている。
【０２３８】
すなわち、構成ＩＤ“００１１”を含む音楽構成データには、アクセス権情報に“public”が設定され、コピー権情報に“１”が設定され、編集権情報に“不可”が設定された権利管理情報が付加されている。
【０２３９】
また、構成ＩＤ“０００５”を含む音楽構成データには、アクセス権情報に“private”が設定され、コピー権情報に“free”が設定され、編集権情報に“可”が設定された権利管理情報が付加されており、構成ＩＤ“００１２”を含む音楽構成データには、アクセス権情報に“friends”が設定され、コピー権情報に“free”が設定され、編集権情報に“可”が設定された権利管理情報が付加されている。
【０２４０】
同様に、構成ＩＤ“００１３”を含む音楽構成データには、アクセス権情報に“public”が設定され、コピー権情報に“free”が設定され、編集権情報に“不可”が設定された権利管理情報が付加されており、構成ＩＤ“０００６”を含む音楽構成データには、アクセス権情報に“public”が設定され、コピー権情報に“０”が設定され、編集権情報に“不可”が設定された権利管理情報が付加されている。
【０２４１】
図１３のフローチャートの説明に戻り、ステップＳ９４において、通信部１５０が、音楽構成データおよび権利管理情報を受信していないと判定された場合、受信した音楽素材データまたは音楽構成データが登録されたので、登録の処理は終了する。
【０２４２】
このようにして、サーバ１３は、音楽素材データ生成装置１１から送信されてきた音楽素材データまたは音楽構成データ生成装置１２から送信されてきた音楽構成データに権利管理情報を付加し、権利管理情報を付加した音楽素材データまたは音楽構成データを記録する。
【０２４３】
このように、ユーザが生成した音楽素材データまたは音楽構成データを記録することで、ユーザは、自分で生成した音楽素材データや音楽構成データを、個人で楽しむだけでなく、他のユーザに公開することができ、音楽素材データや音楽構成データを生成する楽しみを広げることができる。また、音楽素材データおよび音楽構成データに権利管理情報を付加することで、ユーザは、著作物に対する権利を持つことができる。
【０２４４】
次に、図１７のフローチャートを参照して、再生装置１４による要求の処理およびサーバ１３による応答の処理を説明する。
【０２４５】
ステップＳ１２１において、再生装置１４は、接続の処理を行う。なお、接続の処理の詳細は後述するが、接続の処理において、再生装置１４は、ユーザの認証を要求する旨の認証要求信号を生成し、生成した認証要求信号を、通信網１５を介してサーバ１３あてに送信する。
【０２４６】
ステップＳ１４１において、サーバ１３は、認証の処理を行う。なお、認証の処理の詳細は後述するが、認証の処理において、サーバ１３は、再生装置１４から送信されてきた認証要求信号を受信し、受信した認証要求信号に含まれる、ユーザＩＤおよびパスワードを基に、ユーザの認証を行う。
【０２４７】
ステップＳ１４２において、サーバ１３は、データ送信の処理を行い、応答の処理を終了する。なお、データ送信の処理の詳細は後述するが、データ送信の処理において、サーバ１３は、再生装置１４から要求された音楽素材データまたは音楽構成データを、通信網１５を介して、再生装置１４あてに送信する。
【０２４８】
ステップＳ１２２において、再生装置１４は、データ受信の処理を行い、要求の処理は終了する。なお、データ受信の処理の詳細は後述するが、データ受信の処理において、再生装置１４は、サーバ１３から送信されてきた音楽素材データまたは音楽構成データを受信する。
【０２４９】
このようにして、再生装置１４は、認証要求信号を送信し、サーバ１３は、再生装置１４から送信されてきた認証要求信号を受信する。そして、サーバ１３は、受信した認証要求信号に含まれるユーザＩＤおよびパスワードを基に、ユーザの認証を行う。
【０２５０】
また、サーバ１３は、要求された音楽素材データまたは音楽構成データを、通信網１５を介して、再生装置１４あてに送信し、再生装置１４は、サーバ１３から送信されてきた音楽素材データまたは音楽構成データを受信する。
【０２５１】
このように、再生装置１４が、サーバ１３から所望の音楽素材データまたは音楽構成データをダウンロードすることによって、同一の楽曲であっても、音楽素材データおよび音楽構成データの組み合わせを変えることで、異なる雰囲気の楽曲を再生することができ、ユーザは、自分の状況や嗜好に応じた、幅広い楽曲を楽しむことができる。
【０２５２】
図１８のフローチャートを参照して、図１７のステップＳ１２１の処理に対応する、接続の処理を説明する。
【０２５３】
ユーザが入力部１９２を操作することによって、音楽素材データまたは音楽構成データのダウンロードが指示されると、入力部１９２は、その指示に応じて、音楽素材データまたは音楽構成データをダウンロードする旨の入力信号を生成し、生成した入力信号を制御部１９３に供給する。
【０２５４】
入力部１９２から、音楽素材データまたは音楽構成データをダウンロードする旨の入力信号が供給されたので、ステップＳ１６１において、制御部１９３は、サーバ１３に対して接続を要求する旨の接続要求信号を生成し、生成した接続要求信号を通信部１９１に供給する。
【０２５５】
スッテップＳ１６２において、通信部１９１の送信部２１１は、制御部１９３から供給された、接続要求信号を、通信網１５を介して、サーバ１３あてに送信する。
【０２５６】
サーバ１３が接続要求信号を受信すると、ステップＳ１４１の処理において、認証を行うために、サーバ１３が、ユーザＩＤおよびパスワードの送信を要求する旨の応答信号を送信してくるので、ステップＳ１６３において、通信部１９１の受信部２１２は、サーバ１３から送信されてきたユーザＩＤおよびパスワードの送信を要求する旨の応答信号を受信し、受信した応答信号を制御部１９３に供給する。
【０２５７】
サーバ１３から、ユーザＩＤおよびパスワードの送信が要求されたので、ステップＳ１６４において、制御部１９３は、入力部１９２から供給された入力信号に応じて、ユーザＩＤおよびパスワードを含む、ユーザの認証を要求する旨の認証要求信号を生成し、生成した認証要求信号を通信部１９１に供給する。
【０２５８】
ステップＳ１６５において、通信部１９１の送信部２１１は、制御部１９３から供給された認証要求信号を、通信網１５を介して、サーバ１３あてに送信する。
【０２５９】
サーバ１３が認証要求信号を受信すると、ユーザの認証が行われ、ステップＳ１４１の処理において、サーバ１３が、ユーザが認証された旨の応答信号を送信してくるので、ステップＳ１６６において、通信部１９１の受信部２１２は、サーバ１３から送信されてきた、ユーザが認証された旨の応答信号を受信し、受信した応答信号を制御部１９３に供給する。
【０２６０】
ユーザが認証されたので、ステップＳ１６７において、制御部１９３は、入力部１９２から供給された入力信号に応じて、音楽素材データまたは音楽構成データの送信を要求する旨の送信要求信号を生成し、生成した送信要求信号を通信部１９１に供給する。
【０２６１】
例えば、ステップＳ１６７において、入力部１９２から、音楽素材データをダウンロードする旨の入力信号が、制御部１９３に供給された場合、制御部１９３は、入力信号によって、指定された音楽素材データＩＤおよびユーザＩＤを含む送信要求信号を生成する。ここで、送信要求信号には、例えば、１つの楽曲の音楽データを構成する、全ての音楽素材データの音楽素材データＩＤおよびユーザＩＤが含まれる。換言すれば、送信要求信号には、例えば、サーバ１３が記録している音楽素材データのうち、所定の楽曲ＩＤを含む、全ての音楽素材データの音楽素材データＩＤおよびユーザＩＤが含まれる。なお、１つの音楽素材データＩＤおよびユーザＩＤだけを含む送信要求信号を生成するようにしてもよく、楽曲ＩＤおよびユーザＩＤを含む送信要求信号を生成するようにしてもよい。
【０２６２】
また、例えば、ステップＳ１６７において、入力部１９２から、音楽構成データをダウンロードする旨の入力信号が、制御部１９３に供給された場合、制御部１９３は、入力信号によって、指定された音楽構成データＩＤおよびユーザＩＤを含む送信要求信号を生成する。ここで、送信要求信号には、例えば、サーバ１３が記録している音楽構成データのうち、所定の構成ＩＤを含む、全ての音楽構成データの音楽構成データＩＤおよびユーザＩＤが含まれる。なお、１つの音楽構成データＩＤおよびユーザＩＤだけを含む送信要求信号を生成するようにしてもよく、構成ＩＤおよびユーザＩＤを含む送信要求信号を生成するようにしてもよい。
【０２６３】
ステップＳ１６８において、通信部１９１の送信部２１１は、制御部１９３から供給された送信要求信号を、通信網１５を介して、サーバ１３あてに送信し、処理は終了する。
【０２６４】
このようにして、再生装置１４は、ユーザＩＤおよびパスワードを含む、認証要求信号を生成し、生成した認証要求信号を、通信網１５を介して、サーバ１３あてに送信する。そして、ユーザが認証されると、再生装置１４は、音楽素材データまたは音楽構成データを要求する旨の送信要求信号を生成し、生成した送信要求信号を、通信網１５を介して、サーバ１３あてに送信する。
【０２６５】
図１９のフローチャートを参照して、図１７のステップＳ１４１の処理に対応する、認証の処理を説明する。
【０２６６】
ステップＳ１２１の処理において、再生装置１４から接続要求信号が送信されてくるので、ステップＳ１９１において、通信部１５０の受信部１７２は、再生装置１４から送信されてきた、接続要求信号を受信し、受信した接続要求信号を、認証部１５５に供給する。
【０２６７】
再生装置１４によって、接続が要求されたので、ステップＳ１９２において、認証部１５５は、認証の処理を行うために、ユーザＩＤおよびパスワードの送信を要求する旨の応答信号を生成し、生成した応答信号を通信部１５０に供給する。
【０２６８】
ステップＳ１９３において、通信部１５０の送信部１７１は、認証部１５５から供給された、ユーザＩＤおよびパスワードの送信を要求する旨の応答信号を、通信網１５を介して、再生装置１４あてに送信する。
【０２６９】
再生装置１４が、ユーザＩＤおよびパスワードの送信を要求する旨の応答信号を受信すると、ユーザＩＤおよびパスワードを含む、認証要求信号を送信してくるので、ステップＳ１９４において、通信部１５０の受信部１７２は、再生装置１４から送信されてきた、ユーザＩＤおよびパスワードを含む、ユーザの認証を要求する旨の認証要求信号を受信し、受信した認証要求信号を、認証部１５５に供給する。
【０２７０】
ステップＳ１９５において、認証部１５５は、通信部１５０から供給された、認証要求信号に含まれる、ユーザＩＤおよびパスワードを基に、認証要求信号を送信してきたユーザが、正規のユーザであるか否かを判定し、ユーザの認証を行う。
【０２７１】
認証要求信号を送信してきたユーザが、正規のユーザであると認証されたので、ステップＳ１９６において、認証部１５５は、ユーザが認証された旨の応答信号を生成し、生成した応答信号を、通信部１５０に供給する。
【０２７２】
ステップＳ１９７において、通信部１５０の送信部１７１は、認証部１５５から供給された、ユーザが認証された旨の応答信号を、通信網１５を介して、再生装置１４あてに送信し、処理は終了する。
【０２７３】
このようにして、サーバ１３は、再生装置１４から送信されてきた、認証要求信号を受信し、受信した認証要求信号に含まれる、ユーザＩＤおよびパスワードを基に、ユーザの認証を行う。
【０２７４】
このように、ユーザの認証を行うことによって、サーバ１３は、不正なアクセスを防止することができる。
【０２７５】
なお、認証要求信号に含まれているユーザＩＤおよびパスワードを基に、認証要求信号を送信してきたユーザが、正規のユーザであるか否かを判定する処理において、ユーザが正規のユーザであると認証された場合の処理だけを説明したが、正規のユーザであるか否かを判定する処理において、ユーザが正規のユーザではないと判定された場合、認証要求信号を送信してきたユーザは、音楽素材データまたは音楽構成データを送信してよいユーザではないので、応答の処理は終了する。
【０２７６】
図２０のフローチャートを参照して、図１７のステップＳ１４２の処理に対応する、データ送信の処理を説明する。
【０２７７】
ステップＳ１２１の処理において、再生装置１４から、音楽素材データまたは音楽構成データの送信を要求する旨の送信要求信号が送信されてくるので、ステップＳ２３１において、通信部１５０の受信部１７２は、再生装置１４から送信されてきた、送信要求信号を受信し、受信した送信要求信号を認証部１５５に供給する。
【０２７８】
ステップＳ２３２において、認証部１５５は、通信部１５０から供給された送信要求信号を基に、通信部１５０から供給された送信要求信号が、音楽素材データの送信を要求する旨の送信要求信号であるか否かを判定する。
【０２７９】
ステップＳ２３２において、通信部１５０から供給された送信要求信号が、音楽素材データの送信を要求する旨の送信要求信号であると判定された場合、音楽素材データの送信が要求されたので、ステップＳ２３３に進み、認証部１５５は、通信部１５０から供給された送信要求信号を、音楽素材データ制御部１５１に供給する。
【０２８０】
ステップＳ２３４において、音楽素材データ制御部１５１は、認証部１５５から供給された送信要求信号に含まれる、音楽素材データＩＤによって特定される音楽素材データに含まれる権利管理情報と、認証部１５５から供給された送信要求信号に含まれるユーザＩＤとを基に、音楽素材データの送信を要求したユーザが、要求された音楽素材データを送信してもよいユーザであるか否かを判定する。
【０２８１】
したがって、例えば、要求された音楽素材データに含まれる権利管理情報において、アクセス権情報に“public”が設定されている場合、音楽素材データ制御部１５１は、音楽素材データの送信を要求したユーザが、要求された音楽素材データを送信してもよいユーザであると判定する。
【０２８２】
ステップＳ２３４において、音楽素材データの送信を要求したユーザが、要求された音楽素材データを送信してもよいユーザであると判定された場合、ステップＳ２３５に進み、音楽素材データ制御部１５１は、要求された音楽素材データを、音楽素材データ記録部１５２から取得し、取得した音楽素材データを、通信部１５０に供給する。
【０２８３】
ステップＳ２３６において、通信部１５０の送信部１７１は、音楽素材データ制御部１５１から供給された音楽素材データを、通信網１５を介して、再生装置１４あてに送信し、処理は、終了する。例えば、ステップＳ２３６において、通信部１５０の送信部１７１は、１つの楽曲の音楽データを構成する、全ての音楽素材データを、通信網１５を介して再生装置１４あてに送信する。
【０２８４】
一方、ステップＳ２３４において、音楽素材データの送信を要求したユーザが、要求された音楽素材データを送信してもよいユーザでないと判定された場合、再生装置１４あてに音楽素材データを送信しないので、ステップＳ２３５の処理およびステップＳ２３６の処理は、スキップされ、処理は終了する。
【０２８５】
また、ステップＳ２３２において、通信部１５０から供給された送信要求信号が、音楽素材データの送信を要求する旨の送信要求信号でないと判定された場合、音楽素材データの送信が要求されていないので、ステップＳ２３７に進み、認証部１５５は、通信部１５０から供給された送信要求信号を基に、通信部１５０から供給された送信要求信号が、音楽構成データの送信を要求する旨の送信要求信号であるか否かを判定する。
【０２８６】
ステップＳ２３７において、通信部１５０から供給された送信要求信号が、音楽構成データの送信を要求する旨の送信要求信号であると判定された場合、音楽構成データの送信が要求されたので、ステップＳ２３８に進み、認証部１５５は、通信部１５０から供給された送信要求信号を、音楽構成データ制御部１５３に供給する。
【０２８７】
ステップＳ２３９において、音楽構成データ制御部１５３は、認証部１５５から供給された送信要求信号に含まれる、音楽構成データＩＤによって特定される音楽構成データに含まれる権利管理情報と、認証部１５５から供給された送信要求信号に含まれるユーザＩＤとを基に、音楽構成データの送信を要求したユーザが、要求された音楽構成データを送信してもよいユーザであるか否かを判定する。
【０２８８】
したがって、例えば、要求された音楽構成データに含まれる権利管理情報において、アクセス権情報に“public”が設定されている場合、音楽構成データ制御部１５３は、音楽構成データの送信を要求したユーザが、要求された音楽構成データを送信してもよいユーザであると判定する。
【０２８９】
ステップＳ２３９において、音楽構成データの送信を要求したユーザが、要求された音楽構成データを送信してもよいユーザであると判定された場合、ステップＳ２４０に進み、音楽構成データ制御部１５３は、要求された音楽構成データを、音楽構成データ記録部１５４から取得し、取得した音楽構成データを、通信部１５０に供給する。
【０２９０】
ステップＳ２４１において、通信部１５０の送信部１７１は、音楽構成データ制御部１５３から供給された音楽構成データを、通信網１５を介して、再生装置１４あてに送信し、処理は終了する。例えば、ステップＳ２４１において、通信部１５０の送信部１７１は、同一の構成ＩＤを含む、全ての音楽構成データを、通信網１５を介して、再生装置１４あてに送信する。
【０２９１】
一方、ステップＳ２３９において、音楽構成データの送信を要求したユーザが、要求された音楽構成データを送信してもよいユーザでないと判定された場合、再生装置１４あてに音楽構成データを送信しないので、ステップＳ２４０の処理およびステップＳ２４１の処理は、スキップされ、処理は終了する。
【０２９２】
スッテップＳ２３７において、通信部１５０から供給された送信要求信号が、音楽構成データの送信を要求する旨の送信要求信号でないと判定された場合、音楽構成データの送信が要求されていないので、ステップＳ２３８の処理乃至ステップＳ２４１の処理はスキップされ、処理は終了する。
【０２９３】
このようにして、サーバ１３は、再生装置１４から送信されてきた送信要求信号を受信し、受信した送信要求信号を基に、要求された音楽素材データまたは音楽構成データを、再生装置１４あてに送信する。
【０２９４】
このように、音楽素材データまたは音楽構成データを再生装置１４あてに送信することで、サーバ１３は、ユーザの状況や嗜好に応じた、幅広い音楽を提供することができる。
【０２９５】
図２１のフローチャートを参照して、図１７のステップＳ１２２の処理に対応する、データ受信の処理を説明する。
【０２９６】
ステップＳ１４２の処理において、音楽素材データまたは音楽構成データが、サーバ１３から送信されてくるので、ステップＳ２６１において、制御部１９３は、通信部１９１が音楽素材データを受信したか否かを判定する。
【０２９７】
ステップＳ２６１において、通信部１９１が音楽素材データを受信したと判定された場合、通信部１９１から制御部１９３に、音楽素材データが供給されるので、ステップＳ２６２に進み、制御部１９３は、通信部１９１から供給された音楽素材データを、音楽素材データ記録部１９４に供給する。
【０２９８】
ステップＳ２６３において、音楽素材データ記録部１９４は、制御部１９３から供給された音楽素材データを記録し、処理は終了する。
【０２９９】
一方、ステップＳ２６１において、通信部１９１が音楽素材データを受信していないと判定された場合、音楽素材データを受信していないので、ステップＳ２６４に進み、制御部１９３は、通信部１９１が音楽構成データを受信したか否かを判定する。
【０３００】
ステップＳ２６４において、通信部１９１が音楽構成データを受信したと判定された場合、通信部１９１から制御部１９３に、音楽構成データが供給されるので、ステップＳ２６５に進み、制御部１９３は、通信部１９１から供給された音楽構成データを、音楽構成データ記録部１９５に供給する。
【０３０１】
ステップＳ２６６において、音楽構成データ記録部１９５は、制御部１９３から供給された音楽構成データを記録し、処理は終了する。
【０３０２】
また、ステップＳ２６４において、通信部１９１が音楽構成データを受信していないと判定された場合、音楽構成データを受信していないので、ステップＳ２６５の処理およびステップＳ２６６の処理はスキップされ、処理は終了する。
【０３０３】
このようにして、再生装置１４は、音楽素材データまたは音楽構成データを受信し、受信した音楽素材データまたは音楽構成データを記録する。
【０３０４】
このように、音楽素材データおよび音楽構成データを記録することで、ユーザは、同一の楽曲であっても、音楽素材データおよび音楽構成データの組み合わせを変えることで、異なる雰囲気の楽曲を再生することができ、自分の状況や嗜好に応じた、幅広い音楽を楽しむことができる。
【０３０５】
ユーザが、入力部１９２を操作して、音楽再生用のアプリケーションプログラムの起動を指示すると、再生装置１４は、音楽再生用のアプリケーションプログラムを起動させる。そして、音楽再生用のアプリケーションプログラムが起動すると、再生装置１４は、音楽再生の処理を実行する。
【０３０６】
図２２のフローチャートを参照して、再生装置１４による音楽再生の処理を説明する。
【０３０７】
ステップＳ２８１において、再生装置１４の各部は、音楽再生の処理に必用な初期設定を行う。例えば、ステップＳ２８１において、制御部１９３は、音楽素材データ記録部１９４に記録されている音楽素材データ、および音楽構成データ記録部１９５に記録されている音楽構成データを参照して、再生する音楽のプレイリストを表示させる画像データを生成し、生成した画像データを、出力部１９７に供給する。そして、出力部１９７は、制御部１９３から供給された画像データを基に、ディスプレイである出力部１９７に、プレイリストを表示する。
【０３０８】
また、例えば、音楽再生用のアプリケーションプログラムが起動した場合、再生装置１４がサーバ１３にアクセスし、“今週のオススメ”、“週間ダウンロードランキング”などのお勧め情報や広告を表示させる画像データ、音楽を再生するためのソフトウェアのアップデート情報を表示させる画像データなどをダウンロードすることも可能である。
【０３０９】
ステップＳ２８２において、制御部１９３は、入力部１９２から、音楽を再生する旨の入力信号が供給されたか否かを判定する。
【０３１０】
ステップＳ２８２において、入力部１９２から、音楽を再生する旨の入力信号が供給されたと判定された場合、音楽の再生が指示されたので、ステップＳ２８３に進み、制御部１９３は、ユーザによって指定された楽曲ＩＤおよび構成ＩＤを含む、音楽を再生する旨の制御信号を生成し、生成した制御信号を再生部１９６に供給する。
【０３１１】
例えば、ステップＳ２８３において、制御部１９３は、ユーザによって指定された楽曲ＩＤ“０００３”および構成ＩＤ“００１１”を含む、音楽を再生する旨の制御信号を生成し、生成した制御信号を再生部１９６に供給する。
【０３１２】
ステップＳ２８４において、再生部１９６の音楽データ生成部２１３は、制御部１９３から供給された制御信号を基に、音楽データを生成する。
【０３１３】
例えば、ステップＳ２８４において、再生部１９６の音楽データ生成部２１３は、制御部１９３から供給された制御信号に含まれる構成ＩＤを含む音楽構成データを、音楽構成データ記録部１９５から取得し、制御部１９３から供給された制御信号に含まれる楽曲ＩＤを含む音楽素材データを、音楽素材データ記録部１９４から取得する。そして、再生部１９６の音楽データ生成部２１３は、取得した音楽素材データおよび音楽構成データを基に、音楽データを生成する。
【０３１４】
したがって、例えば、制御部１９３から供給された制御信号に、楽曲ＩＤ“０００３”および構成ＩＤ“００１１”が含まれ、音楽素材データ記録部１９４が、図１４に示す音楽素材データを記録しており、音楽構成データ記録部１９５が、図１５に示す音楽構成データを記録している場合、再生部１９６の音楽データ生成部２１３は、音楽構成データ記録部１９５から構成ＩＤ“００１１”を含む音楽構成データを取得する。
【０３１５】
すなわち、この場合、再生部１９６の音楽データ生成部２１３は、音楽構成データ記録部１９５から、音楽構成データＩＤが“００２２”の音楽構成データ、音楽構成データＩＤが“００２３”の音楽構成データ、および音楽構成データＩＤが“００２４”の音楽構成データを取得する。
【０３１６】
そして、再生部１９６の音楽データ生成部２１３は、音楽素材データ記録部１９４から、楽曲ＩＤ“０００３”を含む音楽素材データであって、取得した音楽構成データに含まれるトラックＩＤと同一のトラックＩＤを含む音楽素材データを取得する。
【０３１７】
この場合、再生部１９６の音楽データ生成部２１３は、音楽素材データ記録部１９４から、楽曲ＩＤ“０００３”およびトラックＩＤ“０００１”を含む音楽素材データＩＤが“００１５”である音楽素材データ、楽曲ＩＤ“０００３”およびトラックＩＤ“０００３”を含む音楽素材データＩＤが“００１６”である音楽素材データ、および楽曲ＩＤ“０００３”およびトラックＩＤ“００１２”を含む音楽素材データＩＤが“００１７”である音楽素材データを取得する。
【０３１８】
再生部１９６の音楽データ生成部２１３は、取得した音楽構成データＩＤが“００２２”であるデータ、音楽構成データＩＤが“００２３”であるデータ、音楽構成データＩＤが“００２４”であるデータ、音楽素材データＩＤが“００１５”である音楽素材データ、音楽素材データＩＤが“００１６”である音楽素材データ、および音楽素材データＩＤが“００１７”である音楽素材データを基に、楽曲ＩＤが“０００３”である楽曲（音楽）を再生するための音楽データを生成する。
【０３１９】
したがって、この場合、再生部１９６の音楽データ生成部２１３は、音楽素材データＩＤが“００１５”である音楽素材データによって再生されるトラックを、音楽構成データＩＤが“００２２”である音楽構成データにおいて設定されている再生条件で再生し、音楽素材データＩＤが“００１６”である音楽素材データによって再生されるトラックを、音楽構成データＩＤが“００２３”である音楽構成データにおいて設定されている再生条件で再生し、音楽素材データＩＤが“００１７”である音楽素材データによって再生されるトラックを、音楽構成データＩＤが“００２４”である音楽構成データにおいて設定されている再生条件で再生するための音楽データを生成する。
【０３２０】
なお、音楽素材データまたは音楽構成データが、ユーザによって指定されていない場合、予め定められた音楽素材データまたは音楽構成データを用いて、音楽データを生成するようにしてもよい。また、音楽素材データまたは音楽構成データが、ユーザによって指定されていない場合、音楽データを生成しないようにしてもよい。
【０３２１】
ステップＳ２８５において、再生部１９６は、再生部１９６の音楽データ生成部２１３が生成した音楽データを、所定の方式によりデコードし、デコードした音楽データを出力部１９７に供給する。
【０３２２】
例えば、ステップＳ２８５において、再生部１９６は、再生部１９６の音楽データ生成部２１３が生成した音楽データを、MP3方式、WAV方式などの方式によりデコードし、デコードした音楽データを出力部１９７に供給する。
【０３２３】
ステップＳ２８６において、スピーカである出力部１９７は、再生部１９６から供給された音楽データを基に、音楽を再生し、手続きはステップＳ２８２に戻る。
【０３２４】
一方、ステップＳ２８２において、入力部１９２から、音楽を再生する旨の入力信号が供給されていないと判定された場合、音楽の再生が指示されていないので、ステップＳ２８７に進み、制御部１９３は、入力部１９２から供給された入力信号を基に、ユーザによって音楽素材データが選択されたか否かを判定する。
【０３２５】
ステップＳ２８７において、ユーザによって音楽素材データが選択されたと判定された場合、制御部１９３は、ユーザによって選択された音楽素材データを特定する音楽素材データＩＤを含む、音楽素材データを取得する旨の制御信号を生成し、生成した制御信号を再生部１９６に供給して、手続きはステップＳ２８８に進む。
【０３２６】
ステップＳ２８８において、再生部１９６は、制御部１９３から供給された制御信号に含まれる、音楽素材データＩＤによって特定される音楽素材データを、音楽素材データ記録部１９４から取得し、取得した音楽素材データを一時的に保持して、手続きは、ステップＳ２８２に戻る。
【０３２７】
なお、このとき、再生部１９６が、ユーザによって指定された楽曲ＩＤを含む音楽素材データを、音楽素材データ記録部１９４から取得するようにしてもよい。
【０３２８】
また、ユーザによって指定された音楽素材データが、音楽素材データ記録部１９４に記録されていなかった場合、サーバ１３に接続し、サーバ１３からユーザによって指定された音楽素材データをダウンロード（取得）することも可能である。この場合、例えば、ユーザによって指定された音楽素材データの一部をダウンロードして試聴し、サーバ１３において、課金処理を行った後、音楽素材データをダウンロードするようにしてもよい。
【０３２９】
ステップＳ２８７において、ユーザによって音楽素材データが選択されていないと判定された場合、音楽素材データが選択されていないので、ステップＳ２８９に進み、制御部１９３は、入力部１９２から供給された入力信号を基に、ユーザによって、音楽構成データが選択されたか否かを判定する。
【０３３０】
ステップＳ２８９において、ユーザによって、音楽構成データが選択されたと判定された場合、制御部１９３は、ユーザによって選択された音楽構成データを特定する音楽構成データＩＤを含む、音楽構成データを取得する旨の制御信号を生成し、生成した制御信号を再生部１９６に供給して、手続きはステップＳ２９０に進む。
【０３３１】
ステップＳ２９０において、再生部１９６は、制御部１９３から供給された制御信号に含まれる、音楽構成データＩＤによって特定される音楽構成データを、音楽構成データ記録部１９５から取得し、取得した音楽構成データを一時的に保持して、手続きは、ステップＳ２８２に戻る。
【０３３２】
なお、このとき、再生部１９６が、ユーザによって指定された構成ＩＤを含む音楽構成データを、音楽構成データ記録部１９５から取得するようにしてもよい。
【０３３３】
また、ユーザによって指定された音楽構成データが、音楽構成データ記録部１９５に記録されていなかった場合、サーバ１３に接続し、サーバ１３からユーザによって指定された音楽構成データをダウンロード（取得）することも可能である。また、この場合、例えば、ユーザによって指定された音楽構成データの一部をダウンロードして試聴し、サーバ１３において、課金処理を行った後、音楽構成データをダウンロードするようにしてもよい。
【０３３４】
また、ステップＳ２８９において、ユーザによって、音楽構成データが選択されていないと判定された場合、音楽構成データが選択されていないので、ステップＳ２９１に進み、制御部１９３は、入力部１９２から供給された入力信号を基に、音楽再生用のアプリケーションプログラムを終了する旨の入力信号が供給されたか否かを判定する。
【０３３５】
ステップＳ２９１において、音楽再生用のアプリケーションプログラムを終了する旨の入力信号が供給されていないと判定された場合、ステップＳ２９２に進み、再生装置１４の各部は、入力部１９２から制御部１９３に供給された、入力信号に応じた処理を実行し、手続きは、ステップＳ２８２に戻る。
【０３３６】
したがって、例えば、入力部１９２から制御部１９３に、再生している音楽を停止する旨の入力信号が供給された場合、制御部１９３は、音楽の再生を停止する旨の制御信号を生成し、生成した制御信号を再生部１９６に供給する。そして、再生部１９６は、制御部１９３から供給された制御信号に基づいて、音楽データの出力部１９７への供給を中止することによって、音楽の再生を停止する。
【０３３７】
ステップＳ２９１において、音楽再生用のアプリケーションプログラムを終了する旨の入力信号が供給されたと判定された場合、再生装置１４の各部は、実行している全ての処理を中止し、音楽再生用のアプリケーションプログラムを終了して、音楽再生の処理は終了する。
【０３３８】
このようにして、再生装置１４は、ユーザによって指定された音楽素材データおよび音楽構成データを基に、音楽データを生成し、生成した音楽データを基に、音楽を再生する。
【０３３９】
このように、ユーザによって指定された音楽素材データおよび音楽構成データを基に、音楽データを生成することによって、ユーザは、同一の楽曲であっても、音楽素材データおよび音楽構成データの組み合わせを変えることで、異なる雰囲気の楽曲を楽しむことができ、自分の状況や嗜好に応じた、幅広い音楽を楽しむことができる。
【０３４０】
また、ユーザによって指定された音楽素材データおよび音楽構成データを基に、音楽データを生成することによって、音楽データを生成する場合に、例えば、ボーカルのトラックデータを含まない音楽データを生成し、BGMとして楽しんだり、好きなギターのパートだけを再生したりすることができる。さらに、ピアノ以外の楽器の音量を下げて、ピアノの音色そのものを楽しむこともできる。
【０３４１】
さらに、また、所定の音楽素材データの音量に“０”を設定し、対応するトラックのパートをユーザが演奏することで、ユーザがミュージシャンと共演しているような感覚を楽しむことができる。また、このとき、ユーザの演奏を録音したデータを、所定の楽曲の音楽素材データとすることで、ユーザは、より一体感を感じることができる。
【０３４２】
さらに、また、例えば、ドラムやベースなどの所定の楽曲のトラックデータを、他の楽曲の音楽素材データとすることで、楽曲の雰囲気を変えることができる。さらに、また、曲間情報や楽曲情報などを音楽素材データとして生成してもよく、これにより、楽曲と楽曲の間を切れ間なく再生したり、ラジオのＤＪ（Disk Jockey）が楽曲を紹介しているように、ユーザが感じたりすることができる。
【０３４３】
なお、サーバ１３から送信されてきた音楽素材データまたは音楽構成データを受信し、受信した音楽素材データまたは音楽構成データを記録すると説明したが、音楽素材データまたは音楽構成データを記録せずに、受信した音楽素材データおよび音楽構成データを基に、リアルタイムで音楽再生の処理を行うようにすることも可能である。
【０３４４】
以上のように、再生装置１４は、音楽素材データおよび音楽構成データを基に、音楽構成データにおいて設定されている再生条件で再生される音楽データを生成するようにしたので、同一の楽曲であっても、音楽素材データおよび音楽構成データの組み合わせを変えることで、簡単に、異なる雰囲気の楽曲を再生することができ、ユーザの状況や嗜好に応じた、幅広い楽曲を提供することができる。
【０３４５】
なお、サーバ１３が、音楽素材データおよび音楽構成データを記録すると説明したが、音楽素材データを記録する装置と、音楽構成データを記録する装置とを設けるようにしてもよい。また、音楽素材データ生成装置１１、音楽構成データ生成装置１２、および再生装置１４のそれぞれが有する機能を、１つの装置が有するようにしてもよい。
【０３４６】
本発明によれば、音楽データを記録するようにしたので、音楽を再生することができる。また、本発明によれば、音楽素材データおよび音楽構成データを基に、音楽構成データにおいて設定されている再生条件で再生される音楽データを生成するようにしたので、同一の楽曲であっても、音楽素材データおよび音楽構成データの組み合わせを変えることで、簡単に、異なる雰囲気の楽曲を再生することができ、ユーザの状況や嗜好に応じた、幅広い楽曲を提供することができる。
【０３４７】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３４８】
この記録媒体は、図２に示すように、コンピュータとは別に、ユーザにプログラムを提供するために配布される、プログラムが記録されている磁気ディスク６１（フレキシブルディスクを含む）、光ディスク６２（CD-ROM(Compact Disc-Read Only Memory)、ＤＶＤ(Digital Versatile Disc)を含む）、光磁気ディスク６３（ＭＤ(Mini-Disc)（商標）を含む）、若しくは半導体メモリ６４などよりなるパッケージメディアにより構成されるだけでなく、コンピュータに予め組み込まれた状態でユーザに提供される、プログラムが記録されているROM３２や、記録部３８に含まれるハードディスクなどで構成される。
【０３４９】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０３５０】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０３５１】
なお、本明細書において、システムとは、複数の装置により構成される装置全体を表すものである。
【図面の簡単な説明】
【０３５２】
【図１】本発明を適用した音楽データ配信システムの一実施例の形態を示す図である。
【図２】音楽素材データ生成装置の構成の例を示すブロック図である。
【図３】音楽素材データ生成装置の機能の構成を示すブロック図である。
【図４】音楽構成データ生成装置の機能の構成を示すブロック図である。
【図５】サーバの機能の構成を示すブロック図である。
【図６】再生装置の機能の構成を示すブロック図である。
【図７】音楽素材データ登録の処理を説明するフローチャートである。
【図８】音楽素材データを説明する図である。
【図９】登録情報テーブルを説明する図である。
【図１０】音楽構成データ登録の処理を説明するフローチャートである。
【図１１】音楽構成データを説明する図である。
【図１２】権利管理情報を説明する図である。
【図１３】登録の処理を説明するフローチャートである。
【図１４】音楽素材データを説明する図である。
【図１５】音楽構成データを説明する図である。
【図１６】著作権データを説明する図である。
【図１７】再生装置による要求の処理およびサーバによる応答の処理を説明するフローチャートである。
【図１８】接続の処理を説明するフローチャートである
【図１９】認証の処理を説明するフローチャートである。
【図２０】データ送信の処理を説明するフローチャートである。
【図２１】データ受信の処理を説明するフローチャートである。
【図２２】音楽再生の処理を説明するフローチャートである。
【符号の説明】
【０３５３】
１１  音楽素材データ生成装置，  １２  音楽構成データ生成装置，  １３  サーバ，  １４  再生装置，  ３１  CPU，  ３２  ROM，  ３３  RAM，  ３６  入力部，  ３８  記録部，  ３９  通信部，  ６１  磁気ディスク，  ６２  光ディスク，  ６３  光磁気ディスク，  ６４  半導体メモリ，  ８１  音楽素材データ生成部，  ８２  再生部，  ８３  音楽素材データ記録部，  ８４  登録制御部，  １０１  外部音声入力部，  １２２  音楽構成データ生成部，  １２３  再生部，  １２６  音楽構成データ記録部，  １２７  登録制御部，  １２８  通信部，  １５０  通信部，  １５１  音楽素材データ制御部，  １５２  音楽素材データ記録部，  １５３  音楽構成データ制御部，  １５４  音楽構成データ記録部，  １５５  認証部，  １７１  送信部，  １７２  受信部，  １９１  通信部，  １９２  入力部，  １９３  制御部，  １９４  音楽素材データ記録部，  １９５  音楽構成データ記録部，  １９６  再生部，  ２１１  送信部，  ２１２  受信部，  ２１３音楽データ生成部
【図１】
2006085045.tif 000003
【図２】
2006085045.tif 000004
【図３】
2006085045.tif 000005
【図４】
2006085045.tif 000006
【図５】
2006085045.tif 000007
【図６】
2006085045.tif 000008
【図７】
2006085045.tif 000009
【図８】
2006085045.tif 000010
【図９】
2006085045.tif 000011
【図１０】
2006085045.tif 000012
【図１１】
2006085045.tif 000013
【図１２】
2006085045.tif 000014
【図１３】
2006085045.tif 000015
【図１４】
2006085045.tif 000016
【図１５】
2006085045.tif 000017
【図１６】
2006085045.tif 000018
【図１７】
2006085045.tif 000019
【図１８】
2006085045.tif 000020
【図１９】
2006085045.tif 000021
【図２０】
2006085045.tif 000022
【図２１】
2006085045.tif 000023
【図２２】
2006085045.tif 000024